(57)【要約】  ワイヤレス通信のための技法について説明する。１つの方法は、第１の事業者の第１の基地局によって、少なくとも１つの第２の事業者の第２の基地局に関連するアップリンク構成情報とダウンリンク構成情報とを監視することと、アップリンク構成情報に少なくとも部分的に基づいて、少なくとも１つの第２の事業者の第２の基地局への１つまたは複数のアップリンク送信の送信タイミングを識別することと、１つまたは複数のアップリンク送信の識別された送信タイミング中に、第１の事業者の第１の基地局による無認可無線周波数スペクトル帯域へのアクセスを禁止することとを含む。無認可無線周波数スペクトル帯域における少なくとも１つの第２の事業者の第２の基地局の送信は、無認可無線周波数スペクトル帯域における第１の事業者の第１の基地局の送信と非同期であり得る。
2017510177.tif 000002
【特許請求の範囲】
【請求項１】
第１の事業者の第１の基地局によって、少なくとも１つの第２の事業者の第２の基地局に関連するアップリンク構成情報とダウンリンク構成情報とを監視することと、ここにおいて、無認可無線周波数スペクトル帯域における前記少なくとも１つの第２の事業者の前記第２の基地局の送信が、前記無認可無線周波数スペクトル帯域における前記第１の事業者の前記第１の基地局の送信と非同期である、
前記アップリンク構成情報に少なくとも部分的に基づいて、前記少なくとも１つの第２の事業者の前記第２の基地局への１つまたは複数のアップリンク送信の送信タイミングを識別することと、
前記１つまたは複数のアップリンク送信の前記送信タイミング中に、前記第１の事業者の前記第１の基地局による前記無認可無線周波数スペクトル帯域へのアクセスを禁止することと
を備える、ワイヤレス通信のための方法。
【請求項２】
前記監視することが、
前記アップリンク構成情報と前記ダウンリンク構成情報とについてリッスンビフォアトーク（ＬＢＴ）フレームの少なくとも１つまたは複数のスロットの少なくとも一部分を監視すること
を備える、請求項１に記載の方法。
【請求項３】
前記監視することが、
前記少なくとも１つの第２の事業者の前記第２の基地局から直接、クリアチャネルアセスメント（ＣＣＡ）免除送信（ＣＥＴ）を検出すること
を備え、ここにおいて、前記ＣＥＴが前記アップリンク構成情報と前記ダウンリンク構成情報とを備える、請求項１に記載の方法。
【請求項４】
前記少なくとも１つの第２の事業者の前記第２の基地局から検出された前記ＣＥＴが、前記少なくとも１つの第２の事業者の前記第２の基地局によって使用されるページングチャネルに関係する情報を備える、請求項３に記載の方法。
【請求項５】
前記少なくとも１つの第２の事業者の前記第２の基地局から検出された前記ＣＥＴが１つまたは複数のシステム情報ブロック（ＳＩＢ）を備える、請求項３に記載の方法。
【請求項６】
前記少なくとも１つの第２の事業者の前記第２の基地局のＣＥＴの送信タイミングを識別すること
をさらに備える、請求項３に記載の方法。
【請求項７】
前記少なくとも１つの第２の事業者の前記第２の基地局の前記ＣＥＴの前記送信タイミング中に、前記第１の事業者の前記第１の基地局の送信を中断すること
をさらに備える、請求項６に記載の方法。
【請求項８】
前記少なくとも１つの第２の事業者の前記第２の基地局の前記ＣＥＴから、前記少なくとも１つの第２の事業者の前記第２の基地局と通信するいくつかのモバイルデバイスのアップリンクＣＥＴの送信タイミングを識別すること
をさらに備える、請求項６に記載の方法。
【請求項９】
前記少なくとも１つの第２の事業者の前記第２の基地局と通信する前記いくつかのモバイルデバイスの前記アップリンクＣＥＴの前記送信タイミング中に、前記第１の事業者の前記第１の基地局の送信を中断すること
をさらに備える、請求項８に記載の方法。
【請求項１０】
前記監視することは、
前記少なくとも１つの第２の事業者の前記第２の基地局によって実行されるダウンリンクＣＣＡが成功したとき、前記アップリンク構成情報と前記ダウンリンク構成情報とを備える信号を受信すること
を備える、請求項１に記載の方法。
【請求項１１】
前記信号がチャネル使用ビーコン信号（ＣＵＢＳ）を備える、請求項１０に記載の方法。
【請求項１２】
前記信号が、ワイヤレス通信のために使用されるフレームのダウンリンク制御領域内に埋め込まれた、請求項１０に記載の方法。
【請求項１３】
前記監視することが、
前記少なくとも１つの第２の事業者の前記第２の基地局による１つまたは複数のアップリンク許可に少なくとも部分的に基づいて、前記アップリンク構成情報と前記ダウンリンク構成情報とを識別すること
を備える、請求項１に記載の方法。
【請求項１４】
前記１つまたは複数のアップリンク送信の前記送信タイミングを前記識別することが、
前記１つまたは複数のアップリンク許可から識別された前記アップリンク構成情報に少なくとも部分的に基づいて、前記１つまたは複数のアップリンクサブフレームの前記送信タイミングを動的に識別すること
を備える、請求項１３に記載の方法。
【請求項１５】
前記第１の事業者が前記少なくとも１つの第２の事業者とは異なる、請求項１に記載の方法。
【請求項１６】
第１の事業者の第１の基地局によって、少なくとも１つの第２の事業者の第２の基地局に関連するアップリンク構成情報とダウンリンク構成情報とを監視するための手段と、ここにおいて、無認可無線周波数スペクトル帯域における前記少なくとも１つの第２の事業者の前記第２の基地局の送信が、前記無認可無線周波数スペクトル帯域における前記第１の事業者の前記第１の基地局の送信と非同期である、
前記アップリンク構成情報に少なくとも部分的に基づいて、前記少なくとも１つの第２の事業者の前記第２の基地局への１つまたは複数のアップリンクサブフレーム送信の送信タイミングを識別するための手段と、
前記１つまたは複数のアップリンク送信の前記送信タイミング中に、前記第１の事業者の前記第１の基地局による前記無認可無線周波数スペクトル帯域へのアクセスを禁止するための手段と
を備える、ワイヤレス通信のための装置。
【請求項１７】
監視するための前記手段が、
前記アップリンク構成情報と前記ダウンリンク構成情報とについてリッスンビフォアトーク（ＬＢＴ）フレームの少なくとも１つまたは複数のスロットの少なくとも一部分を監視するための手段
を備える、請求項１６に記載の装置。
【請求項１８】
監視するための前記手段が、
前記少なくとも１つの第２の事業者の前記第２の基地局から直接、クリアチャネルアセスメント（ＣＣＡ）免除送信（ＣＥＴ）を検出するための手段
を備え、ここにおいて、前記ＣＥＴが前記アップリンク構成情報と前記ダウンリンク構成情報とを備える、請求項１６に記載の装置。
【請求項１９】
前記少なくとも１つの第２の事業者の前記第２の基地局から検出された前記ＣＥＴが、前記少なくとも１つの第２の事業者の前記第２の基地局によって使用されるページングチャネルに関係する情報を備える、請求項１８に記載の装置。
【請求項２０】
前記少なくとも１つの第２の事業者の前記第２の基地局から検出された前記ＣＥＴが１つまたは複数のシステム情報ブロック（ＳＩＢ）を備える、請求項１８に記載の装置。
【請求項２１】
前記少なくとも１つの第２の事業者の前記第２の基地局のＣＥＴの送信タイミングを識別するための手段
をさらに備える、請求項１８に記載の装置。
【請求項２２】
前記少なくとも１つの第２の事業者の前記第２の基地局の前記ＣＥＴの前記送信タイミング中に、前記第１の事業者の前記第１の基地局の送信を中断するための手段
をさらに備える、請求項２１に記載の装置。
【請求項２３】
前記少なくとも１つの第２の事業者の前記第２の基地局の前記ＣＥＴから、前記少なくとも１つの第２の事業者の前記第２の基地局と通信するいくつかのモバイルデバイスのアップリンクＣＥＴの送信タイミングを識別するための手段
をさらに備える、請求項２１に記載の装置。
【請求項２４】
監視するための前記手段は、
前記少なくとも１つの第２の事業者の前記第２の基地局によって実行されるダウンリンクＣＣＡが成功したとき、前記アップリンク構成情報と前記ダウンリンク構成情報とを備える信号を受信するための手段
を備える、請求項１６に記載の装置。
【請求項２５】
監視するための前記手段が、
前記少なくとも１つの第２の事業者の前記第２の基地局による１つまたは複数のアップリンク許可に少なくとも部分的に基づいて、前記アップリンク構成情報と前記ダウンリンク構成情報とを識別するための手段
を備える、請求項１６に記載の装置。
【請求項２６】
プロセッサと、
前記プロセッサと電子通信しているメモリと、
前記メモリに記憶された命令とを備え、前記命令は、
第１の事業者の第１の基地局によって、少なくとも１つの第２の事業者の第２の基地局に関連するアップリンク構成情報とダウンリンク構成情報とを監視することと、ここにおいて、無認可無線周波数スペクトル帯域における前記少なくとも１つの第２の事業者の前記第２の基地局の送信が、前記無認可無線周波数スペクトル帯域における前記第１の事業者の前記第１の基地局の送信と非同期である、
前記アップリンク構成情報に少なくとも部分的に基づいて、前記少なくとも１つの第２の事業者の前記第２の基地局への１つまたは複数のアップリンク送信の送信タイミングを識別することと、
前記１つまたは複数のアップリンク送信の前記送信タイミング中に、前記第１の事業者の前記第１の基地局による前記無認可無線周波数スペクトル帯域へのアクセスを禁止することと
を行うために前記プロセッサによって実行可能である、ワイヤレス通信のための装置。
【請求項２７】
監視するために前記プロセッサによって実行可能な前記命令が、
前記アップリンク構成情報と前記ダウンリンク構成情報とについてリッスンビフォアトーク（ＬＢＴ）フレームの少なくとも１つまたは複数のスロットの少なくとも一部分を監視する
ために前記プロセッサによって実行可能な命令を備える、請求項２６に記載の装置。
【請求項２８】
監視するために前記プロセッサによって実行可能な前記命令が、
前記少なくとも１つの第２の事業者の前記第２の基地局から直接、クリアチャネルアセスメント（ＣＣＡ）免除送信（ＣＥＴ）を検出する
ために前記プロセッサによって実行可能な命令を備え、ここにおいて、前記ＣＥＴが前記アップリンク構成情報と前記ダウンリンク構成情報とを備える、請求項２６に記載の装置。
【請求項２９】
ワイヤレス通信のためのコンピュータ実行可能なコードを記憶する非一時的コンピュータ可読媒体であって、前記コードは、
第１の事業者の第１の基地局によって、少なくとも１つの第２の事業者の第２の基地局に関連するアップリンク構成情報とダウンリンク構成情報とを監視することと、ここにおいて、無認可無線周波数スペクトル帯域における前記少なくとも１つの第２の事業者の前記第２の基地局の送信が、前記無認可無線周波数スペクトル帯域における前記第１の事業者の前記第１の基地局の送信と非同期である、
前記アップリンク構成情報に少なくとも部分的に基づいて、前記少なくとも１つの第２の事業者の前記第２の基地局への１つまたは複数のアップリンク送信の送信タイミングを識別することと、
前記１つまたは複数のアップリンク送信の前記送信タイミング中に、前記第１の事業者の前記第１の基地局による前記無認可無線周波数スペクトル帯域へのアクセスを禁止することと
を行うためにプロセッサによって実行可能である、非一時的コンピュータ可読媒体。
【請求項３０】
監視するための前記プロセッサによる前記コンピュータ実行可能なコードが、
前記アップリンク構成情報と前記ダウンリンク構成情報とについてリッスンビフォアトーク（ＬＢＴ）フレームの少なくとも１つまたは複数のスロットの少なくとも一部分を監視する
ための前記プロセッサによるコンピュータ実行可能コードを備える、請求項２９に記載の非一時的コンピュータ可読媒体。
【発明の詳細な説明】
【技術分野】
【０００１】
相互参照
[0001]本特許出願は、各々が本出願の譲受人に譲渡された、２０１４年１２月１７日に出願された、「Techniques for Enabling Asynchronous Time Division Duplexing Transmissions in an Unlicensed Radio Frequency Spectrum Band」と題する、Ｄａｍｎｊａｎｏｖｉｃらによる米国特許出願第１４／５７３，０７５号、および２０１４年２月２４日に出願された、「Techniques For Enabling Asynchronous Time Division Duplexing Transmissions In An Unlicensed Radio Frequency Spectrum Band」と題する、Ｄａｍｎｊａｎｏｖｉｃらによる米国仮特許出願第６１／９４３，７６０号の優先権を主張する。
【０００２】
[0002]本開示は、たとえば、ワイヤレス通信システムに関し、より詳細には、無認可無線周波数スペクトル帯域（an unlicensed radio frequency spectrum band）における非同期時分割複信（ＴＤＤ：time division duplexing）送信を可能にするための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数のモバイルデバイスのための通信を同時にサポートする、いくつかの基地局を含み得る。基地局は、（たとえば、基地局からモバイルデバイスへの送信のために）ダウンリンクチャネル、および（たとえば、モバイルデバイスから基地局への送信のために）アップリンクチャネル上でモバイルデバイスと通信し得る。
【０００５】
[0005]通信のいくつかのモードは、セルラーネットワークの異なる無線周波数スペクトル帯域（たとえば、認可無線周波数スペクトル帯域および／または無認可無線周波数スペクトル帯域）上でのモバイルデバイスとの通信を可能にし得る。セルラーネットワークにおけるデータトラフィックの増加とともに、少なくとも一部のデータトラフィックの、無認可無線周波数スペクトル帯域へのオフローディングは、セルラー事業者（a cellular operator）に拡張されたデータ送信容量のための機会を与え得る。無認可無線周波数スペクトル帯域へのアクセスを獲得し、無認可無線周波数スペクトル帯域上でデータを送信するより前に、送信装置は、いくつかの例では、無認可無線周波数スペクトル帯域へのアクセスを獲得するために、リッスンビフォアトーク（ＬＢＴ：listen before talk）プロシージャを実行し得る。ＬＢＴプロシージャは、無認可無線周波数スペクトル帯域のチャネルが利用可能であるかどうかを決定するために、クリアチャネルアセスメント（ＣＣＡ：clear channel assessment）を実行することを含み得る。（たとえば、別のデバイスが無認可無線周波数スペクトル帯域のチャネルをすでに使用しているので）無認可無線周波数スペクトル帯域のチャネルが利用可能でないと決定されたとき、そのチャネルのためのＣＣＡが後で再び実行され得る。
【発明の概要】
【０００６】
[0006]本開示は、たとえば、無認可無線周波数スペクトル帯域における非同期ＴＤＤ送信を可能にするための１つまたは複数の技法に関する。いくつかのワイヤレス通信システムでは、第１の事業者（a first operator）の第１の基地局の送信は、少なくとも１つの第２の事業者の第２の基地局（たとえば、第１の事業者の第１の基地局のネイバリング基地局（a neighboring base station））と、少なくとも１つの第２の事業者の第２の基地局によってサービスされる１つまたは複数のモバイルデバイスとの間のいくつかの送信に干渉し得る。たとえば、第１の事業者の第１の基地局が、少なくとも１つの第２の事業者の第２の基地局と共有される無認可無線周波数スペクトル帯域へのアクセスを求めて競合する（contends for access to）ワイヤレス通信システムの場合、第１の事業者の第１の基地局は、無認可無線周波数スペクトル帯域のチャネルが利用可能であるかどうかを決定するために、ＣＣＡを繰り返し実行し得る。（たとえば、別のデバイスが無認可無線周波数スペクトル帯域のチャネルをすでに使用しているので）無認可無線周波数スペクトル帯域が利用可能でないと決定されたとき、そのチャネルのためのＣＣＡが後で再び実行され得る。しかしながら、第１の事業者の第１の基地局によって実行される各不成功のＣＣＡは、別の送信装置（たとえば、少なくとも１つの第２の事業者の第２の基地局）によって無認可無線周波数スペクトル帯域上で行われている送信に干渉する可能性を有する。（たとえば、アップリンク送信のために使用される送信電力が制約され得るので、および／またはモバイルデバイスが少なくとも１つの第２の事業者の第２の基地局から離れているので）干渉を受けやすいことがある送信は、モバイルデバイスから少なくとも１つの第２の事業者の第２の基地局へのアップリンク送信である。少なくとも１つの第２の事業者の第２の基地局がモバイルデバイスからアップリンク送信を受信する可能性を増加させるために、第１の事業者の第１の基地局は、少なくとも１つの第２の事業者の第２の基地局に関連するアップリンク構成情報とダウンリンク構成情報とを監視し得る。次いで、アップリンク構成情報および／またはダウンリンク構成情報に少なくとも部分的に基づいて、アップリンク送信中に、第１の事業者の第１の基地局による無認可無線周波数スペクトル帯域へのアクセスが禁止され得る。
【０００７】
[0007]例示的な例の第１のセットでは、ワイヤレス通信のための方法について説明する。一例では、本方法は、第１の事業者の第１の基地局によって、少なくとも１つの第２の事業者の第２の基地局に関連するアップリンク構成情報とダウンリンク構成情報とを監視することと、アップリンク構成情報に少なくとも部分的に基づいて、少なくとも１つの第２の事業者の第２の基地局への１つまたは複数のアップリンク送信の送信タイミングを識別することと、１つまたは複数のアップリンク送信の識別された送信タイミング中に、第１の事業者の第１の基地局による無認可無線周波数スペクトル帯域へのアクセスを禁止することとを含み得る。無認可無線周波数スペクトル帯域における少なくとも１つの第２の事業者の第２の基地局の送信は、無認可無線周波数スペクトル帯域における第１の事業者の第１の基地局の送信と非同期であり得る。
【０００８】
[0008]本方法のいくつかの例では、監視することは、アップリンク構成情報とダウンリンク構成情報とについてリッスンビフォアトーク（ＬＢＴ）フレームの１つまたは複数のスロットを監視すること、および／または、少なくとも１つの第２の事業者の第２の基地局から直接、ＣＣＡ免除送信（ＣＥＴ：CCA exempt transmission）を検出することを含み得、ここにおいて、ＣＥＴはアップリンク構成情報とダウンリンク構成情報とを備える。いくつかの例では、少なくとも１つの第２の事業者の第２の基地局から検出されたＣＥＴは、少なくとも１つの第２の事業者の第２の基地局によって使用されるページングチャネルに関係する情報を含み得る。いくつかの例では、少なくとも１つの第２の事業者の第２の基地局から検出されたＣＥＴは１つまたは複数のシステム情報ブロック（ＳＩＢ：system information block）を含み得る。いくつかの例では、第１の事業者は少なくとも１つの第２の事業者とは異なる。
【０００９】
[0009]いくつかの例では、本方法は、少なくとも１つの第２の事業者の第２の基地局のＣＥＴの送信タイミングを識別することを含み得る。これらの例では、本方法は、少なくとも１つの第２の事業者の第２の基地局のＣＥＴの送信タイミング中に、第１の事業者の第１の基地局の送信を中断することを含み得る。本方法は、同じくまたは代替的に、少なくとも１つの第２の事業者の第２の基地局のＣＥＴから、少なくとも１つの第２の事業者の第２の基地局と通信するいくつかのモバイルデバイスのアップリンクＣＥＴの送信タイミングを識別することを含み得、いくつかの例では、少なくとも１つの第２の事業者の第２の基地局と通信するいくつかのモバイルデバイスのアップリンクＣＥＴの送信タイミング中に、第１の事業者の第１の基地局の送信を中断することを含み得る。
【００１０】
[0010]本方法のいくつかの例では、監視することは、少なくとも１つの第２の事業者の第２の基地局によって実行されるダウンリンクＣＣＡが成功したとき、アップリンク構成情報とダウンリンク構成情報とを含む信号を受信することを含み得る。例として、信号は、チャネル使用ビーコン信号（ＣＵＢＳ：channel usage beacon signal）を含み得るか、またはワイヤレス通信のために使用されるフレームのダウンリンク制御領域内に埋め込まれ得る。
【００１１】
[0011]本方法のいくつかの例では、監視することは、少なくとも１つの第２の事業者の第２の基地局による１つまたは複数のアップリンク許可（one or more uplink grants）に少なくとも部分的に基づいて、アップリンク構成情報とダウンリンク構成情報とを識別することを含み得る。これらの例では、１つまたは複数のアップリンク送信の送信タイミングを識別することは、１つまたは複数のアップリンク許可から識別されたアップリンク構成情報に少なくとも部分的に基づいて、１つまたは複数のアップリンクサブフレームの送信タイミングを動的に識別することを含み得る。
【００１２】
[0012]例示的な例の第２のセットでは、ワイヤレス通信のための装置について説明する。一例では、本装置は、第１の事業者の第１の基地局によって、少なくとも１つの第２の事業者の第２の基地局に関連するアップリンク構成情報とダウンリンク構成情報とを監視するための手段と、アップリンク構成情報に少なくとも部分的に基づいて、少なくとも１つの第２の事業者の第２の基地局への１つまたは複数のアップリンク送信の送信タイミングを識別するための手段と、１つまたは複数のアップリンク送信の識別された送信タイミング中に、第１の事業者の第１の基地局による無認可無線周波数スペクトル帯域へのアクセスを禁止するための手段とを含み得る。無認可無線周波数スペクトル帯域における少なくとも１つの第２の事業者の第２の基地局の送信は、無認可無線周波数スペクトル帯域における第１の事業者の第１の基地局の送信と非同期であり得る。いくつかの例では、本装置は、例示的な例の第１のセットに関して上記で説明したワイヤレス通信のための方法の１つまたは複数の態様を実装するための手段をさらに含み得る。
【００１３】
[0013]例示的な例の第３のセットでは、ワイヤレス通信のための別の装置について説明する。一例では、本装置は、プロセッサと、プロセッサと電子通信しているメモリと、メモリに記憶された命令とを含み得る。命令は、第１の事業者の第１の基地局によって、少なくとも１つの第２の事業者の第２の基地局に関連するアップリンク構成情報とダウンリンク構成情報とを監視することと、アップリンク構成情報に少なくとも部分的に基づいて、少なくとも１つの第２の事業者の第２の基地局への１つまたは複数のアップリンク送信の送信タイミングを識別することと、１つまたは複数のアップリンク送信の識別された送信タイミング中に、第１の事業者の第１の基地局による無認可無線周波数スペクトル帯域へのアクセスを禁止することとを行うためにプロセッサによって実行可能であり得る。無認可無線周波数スペクトル帯域における少なくとも１つの第２の事業者の第２の基地局の送信は、無認可無線周波数スペクトル帯域における第１の事業者の第１の基地局の送信と非同期であり得る。いくつかの例では、命令はまた、例示的な例の第１のセットに関して上記で説明したワイヤレス通信のための方法の１つまたは複数の態様を実装するプロセッサによって実行可能であり得る。
【００１４】
[0014]例示的な例の第４のセットでは、ワイヤレス通信のためのコンピュータ実行可能なコードを記憶する非一時的コンピュータ可読媒体について説明する。一例では、本非一時的コンピュータ可読媒体は、第１の事業者の第１の基地局によって、少なくとも１つの第２の事業者の第２の基地局に関連するアップリンク構成情報とダウンリンク構成情報とを監視することと、アップリンク構成情報に少なくとも部分的に基づいて、少なくとも１つの第２の事業者の第２の基地局への１つまたは複数のアップリンク送信の送信タイミングを識別することと、１つまたは複数のアップリンク送信の識別された送信タイミング中に、第１の事業者の第１の基地局による無認可無線周波数スペクトル帯域へのアクセスを禁止することとをワイヤレス通信装置に行わせるためのプロセッサによるコンピュータ実行可能なコードを記憶し得る。無認可無線周波数スペクトル帯域における少なくとも１つの第２の事業者の第２の基地局の送信は、無認可無線周波数スペクトル帯域における第１の事業者の第１の基地局の送信と非同期であり得る。いくつかの例では、命令はまた、例示的な例の第１のセットに関して上記で説明したワイヤレス通信のための方法の１つまたは複数の態様を実装することをワイヤレス通信装置に行わせるためにプロセッサによって実行可能であり得る。
【００１５】
[0015]上記では、以下の詳細な説明がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の制限を定めるものではない。
【００１６】
[0016]本発明の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１７】
【図１】[0017]本開示の様々な態様による、ワイヤレス通信システムのブロック図。
【図２】[0018]本開示の様々な態様による、ＬＴＥ／ＬＴＥ−Ａが、無認可無線周波数スペクトル帯域を使用する異なるシナリオの下で展開されるワイヤレス通信システムを示す図。
【図３】[0019]本開示の様々な態様による、無認可無線周波数スペクトル帯域におけるセルラーダウンリンクのためのゲーティング間隔（a gating interval）（またはＬＢＴフレーム）の例を示す図。
【図４】[0020]本開示の様々な態様による、第１の事業者（たとえば、事業者１）の第１の基地局が第２の事業者（たとえば、事業者２）の第２の基地局のアップリンク送信をどのように保護し得るかについての一例を示す図。
【図５】[0021]本開示の様々な態様による、無認可無線周波数スペクトル帯域上での、３つのそれぞれの非同期事業者（たとえば、事業者１、事業者２、および事業者３）の３つの基地局の例示的な送信を示す図。
【図６】[0022]本開示の様々な態様による、ワイヤレス通信において使用するための装置のブロック図。
【図７】[0023]  本開示の様々な態様による、ワイヤレス通信において使用するための装置のブロック図。
【図８】[0024]本開示の様々な態様による、ワイヤレス通信において使用するための装置のブロック図。
【図９】[0025]本開示の様々な態様による、ワイヤレス通信において使用するための基地局（たとえば、ｅＮＢの一部または全部を形成する基地局）のブロック図。
【図１０】[0026]本開示の様々な態様による、ワイヤレス通信において使用するためのモバイルデバイス（たとえば、ＵＥ）のブロック図。
【図１１】[0027]本開示の様々な態様による、ワイヤレス通信のための方法の一例を示すフローチャート。
【図１２】[0028]本開示の様々な態様による、ワイヤレス通信のための方法の一例を示すフローチャート。
【図１３】[0029]本開示の様々な態様による、ワイヤレス通信のための方法の一例を示すフローチャート。
【図１４】[0030]本開示の様々な態様による、ワイヤレス通信のための方法の一例を示すフローチャート。
【詳細な説明】
【００１８】
[0031]非同期ＴＤＤ送信が、セルラー通信（たとえば、ロングタームエボリューション（ＬＴＥ（登録商標））通信および／またはＬＴＥアドバンスト（ＬＴＥ−Ａ）通信）のために使用される無認可無線周波数スペクトル帯域（たとえば、Ｗｉ−Ｆｉ（登録商標）無線周波数スペクトル帯域など、無線周波数スペクトル帯域が無認可使用のために利用可能であるので、複数の装置がその帯域に対するアクセスを求めて競合する必要があり得る、無線周波数スペクトル帯域）において可能にされる技法について説明する。
【００１９】
[0032]セルラーネットワークにおけるデータトラフィックの増加とともに、少なくとも一部のデータトラフィックの、無認可無線周波数スペクトル帯域へのオフローディングは、セルラー事業者（たとえば、ＬＴＥ／ＬＴＥ−Ａネットワークなどのセルラーネットワークを定義する基地局の協調セットの事業者）に拡張されたデータ送信容量のための機会を与え得る。無認可無線周波数スペクトル帯域へのアクセスを獲得し、無認可無線周波数スペクトル帯域上でデータを通信するより前に、送信装置は、いくつかの例では、無認可無線周波数スペクトル帯域へのアクセスを獲得するために、ＬＢＴプロシージャを実行し得る。そのようなＬＢＴプロシージャは、無認可無線周波数スペクトル帯域のチャネルが利用可能であるかどうかを決定するために、ＣＣＡを実行することを含み得る。チャネルが利用可能でないと決定されたとき、そのチャネルのためのＣＣＡが後で再び実行され得る。しかしながら、第１の事業者の第１の基地局によって実行される各不成功のＣＣＡは、別の送信装置によって無認可無線周波数スペクトル帯域上で行われている送信に干渉する可能性を有する。（たとえば、アップリンク送信のために使用される送信電力が制約され得るので、および／またはモバイルデバイスが第２の事業者の第２の基地局から離れているので）干渉をより受けやすいことがある送信は、モバイルデバイスから第２の事業者の第２の基地局へのアップリンク送信である。
【００２０】
[0033]無認可無線周波数スペクトル帯域における第２の事業者の第２の基地局の送信が、無認可無線周波数スペクトル帯域における第１の事業者の第１の基地局の送信と非同期であり得る場合、および本開示の様々な態様によれば、第１の事業者の第１の基地局が、第２の事業者の第２の基地局に関連するアップリンク構成情報とダウンリンク構成情報とを監視し、アップリンク送信中に、第１の事業者の第１の基地局による無認可無線周波数スペクトル帯域へのアクセスを禁止するとき、第２の事業者の第２の基地局がモバイルデバイスからアップリンク送信を受信する可能性は増加され得る。いくつかの例では、無認可無線周波数スペクトル帯域へのアクセスを禁止することは、第１の基地局に、無認可無線周波数スペクトル帯域の少なくとも１つのチャネルのＬＢＴフレームへのアクセスを獲得するための１つまたは複数のＣＣＡをバイパスさせることを含み得、そのＣＣＡはアップリンク送信中に実行されたであろう。無認可無線周波数スペクトル帯域の少なくとも１つのチャネルは、第２の事業者の第２の基地局へのアップリンク送信が送信される少なくとも１つのチャネルを含み得る。
【００２１】
[0034]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２２】
[0035]以下の説明は、例を与えるものであり、特許請求の範囲に記載される範囲、適用可能性、または例を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２３】
[0036]図１に、本開示の様々な態様による、ワイヤレス通信システム１００のブロック図を示す。ワイヤレス通信システム１００は、複数の基地局１０５（たとえば、１つまたは複数のｅＮＢの一部または全部を形成する基地局）と、いくつかのモバイルデバイス１１５（たとえば、ユーザ機器（ＵＥ））と、コアネットワーク１３０とを含み得る。基地局１０５のうちのいくつかは、様々な例ではコアネットワーク１３０または基地局１０５のうちのいくつかの基地局の一部であり得る、基地局コントローラ（図示せず）の制御下でモバイルデバイス１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いと直接にまたは間接的に通信し得る。ワイヤレス通信システム１００は、複数のキャリア（異なる周波数の波形信号）上での動作をサポートし得る。マルチキャリア送信機は、複数のキャリア上で同時に変調された信号を送信することができる。たとえば、各通信リンク１２５は、様々な無線技術に従って変調されたマルチキャリア信号であり得る。各変調された信号は、異なるキャリア上で送られ得、制御情報（たとえば、基準信号、制御チャネルなど）、オーバーヘッド情報、データなどを搬送し得る。
【００２４】
[0037]基地局１０５は、１つまたは複数の基地局アンテナを介してモバイルデバイス１１５とワイヤレス通信し得る。基地局１０５の各々は、それぞれのカバレージエリア１１０に対して通信カバレージを与え得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの、異なる無線技術を利用し得る。基地局１０５は同じまたは異なるアクセスネットワークまたは事業者展開に関連し得る。同じまたは異なるタイプの基地局１０５のカバレージエリアを含むか、同じまたは異なる無線技術を利用するか、および／あるいは同じまたは異なるアクセスネットワークに属する、異なる基地局１０５のカバレージエリアは、重複し得る。
【００２５】
[0038]いくつかの例では、ワイヤレス通信システム１００はＬＴＥ／ＬＴＥ−Ａ通信システム（またはネットワーク）を含み得、そのＬＴＥ／ＬＴＥ−Ａ通信システムは、認可無線周波数スペクトル帯域（たとえば、無線周波数スペクトル帯域が特定の使用のために特定のユーザに認可されているので、複数の装置がその帯域に対するアクセスを求めて競合しない無線周波数スペクトル帯域）、および／または無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ノードＢまたはｅＮＢという用語は、たとえば、基地局１０５または基地局１０５のグループについて説明するために使用され得る。
【００２６】
[0039]ワイヤレス通信システム１００は、異なるタイプの基地局１０５が様々な地理的領域に対してカバレージを与える、異機種ＬＴＥ／ＬＴＥ−Ａネットワークであるか、またはそれを含み得る。たとえば、各基地局１０５は、通信カバレージをマクロセル、ピコセル、フェムトセル、および／または他のタイプのセルに対して与え得る。ピコセル、フェムトセル、および／または他のタイプのセルなどのスモールセルは低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ（たとえば、限定加入者グループ（ＣＳＧ：a closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数（たとえば、２つ、３つ、４つなど）のセルをサポートし得る。
【００２７】
[0040]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通して）直接にまたは間接的に互いと通信し得る。ワイヤレス通信システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。
【００２８】
[0041]モバイルデバイス１１５はワイヤレス通信システム１００全体にわたって分散され得る。モバイルデバイス１１５は、当業者によって、ユーザ機器（ＵＥ）、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。モバイルデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などの装着可能なアイテム、ワイヤレスローカルループ（ＷＬＬ）局などであり得る。モバイルデバイス１１５は、マクロｅＮＢ、ピコｅＮＢ、フェムトｅＮＢ、リレーなどと通信することが可能であり得る。モバイルデバイス１１５はまた、セルラーまたは他のＷＷＡＮアクセスネットワーク、あるいはＷＬＡＮアクセスネットワークなど、異なるタイプのアクセスネットワーク上で通信することが可能であり得る。モバイルデバイス１１５との通信のいくつかのモードでは、通信は複数の通信リンク１２５またはチャネル（すなわち、コンポーネントキャリア）上で行われ、各チャネルは、モバイルデバイス１１５と、いくつかのセル（たとえば、場合によっては異なる基地局１０５によって動作させられ得るサービングセル）のうちの１つとの間のコンポーネントキャリアを使用し得る。
【００２９】
[0042]各コンポーネントキャリアは、認可無線周波数スペクトル帯域または無認可無線周波数スペクトル帯域上で与えられ得、通信の特定のモードで使用されるコンポーネントキャリアのセットは、すべて、（たとえば、モバイルデバイス１１５において）認可無線周波数スペクトル帯域上で受信されるか、すべて、（たとえば、モバイルデバイス１１５において）無認可無線周波数スペクトル帯域上で受信されるか、または（たとえば、モバイルデバイス１１５において）認可無線周波数スペクトル帯域と無認可無線周波数スペクトル帯域との組合せ上で受信され得る。
【００３０】
[0043]ワイヤレス通信システム１００に示されている通信リンク１２５は、アップリンク（ＵＬ）通信（たとえば、モバイルデバイス１１５から基地局１０５への送信）を搬送するための（コンポーネントキャリアを使用する）アップリンクチャネル、および／またはダウンリンク（ＤＬ）通信（たとえば、基地局１０５からモバイルデバイス１１５への送信）を搬送するための（コンポーネントキャリアを使用する）ダウンリンクチャネルを含み得る。ＵＬ通信または送信は逆方向リンク通信または送信と呼ばれることもあり、ＤＬ通信または送信は順方向リンク通信または送信と呼ばれることもある。ダウンリンク通信および／またはアップリンク通信は、認可無線周波数スペクトル帯域、無認可無線周波数スペクトル帯域、またはその両方を使用して行われ得る。
【００３１】
[0044]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーションモード、ならびに／または基地局とモバイルデバイスとの間のＬＴＥ／ＬＴＥ−Ａダウンリンク通信およびＬＴＥ／ＬＴＥ−Ａアップリンク通信が無認可無線周波数スペクトル帯域において行われ得るスタンドアロンモードを含み得る。基地局１０５ならびにモバイルデバイス１１５は、いくつかの例では、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のための通信リンク１２５において使用され得、ＯＦＤＭＡ、ＳＣ−ＦＤＭＡおよび／またはリソースブロックインターリーブＦＤＭＡ波形（OFDMA, SC-FDMA and/or resource block interleaved FDMA waveforms）は、認可無線周波数スペクトル帯域および／または無認可無線周波数スペクトル帯域におけるＬＴＥ／ＬＴＥ−Ａアップリンク通信のための通信リンク１２５において使用され得る。
【００３２】
[0045]ワイヤレス通信システム１００のいくつかの例では、無認可無線周波数スペクトル帯域を使用して送信しようとする装置は、無認可無線周波数スペクトル帯域がそのような送信において使用するために利用可能であること、すなわち、無認可無線周波数スペクトル帯域が１つまたは複数の他の装置によってすでに使用中でないことを検証することを要求され得る。したがって、無認可無線周波数スペクトル帯域を使用して送信するより前に、装置は、チャネルアクセスを獲得するために、ＬＢＴプロシージャとも呼ばれる、競合ベースチャネルアクセスプロシージャ（a contention-based channel access procedure）を実行し得る。たとえば、ＣＣＡは、無認可無線周波数スペクトル帯域の利用可能性を決定するために使用され得る。ＣＣＡの実行は、送信を開始するより前に、無認可無線周波数スペクトル帯域が他の方法で占有されていないことを検査することを伴い得る。
【００３３】
[0046]場合によっては、無認可無線周波数スペクトル帯域へのフェアアクセス（fair access）は、無認可無線周波数スペクトル帯域にアクセスすることを希望する異なる事業者の異なる装置またはノードによって実行されるＣＣＡの協調によって容易にされ得る。ＣＣＡ協調方法のうちのいくつかでは、ＣＣＡは、無認可無線周波数スペクトル帯域にアクセスすることを望み得る複数の装置またはノードの間であらかじめ決定された時間期間において行われるように協調され得る。たとえば、複数の協調ノードが無認可無線周波数スペクトル帯域におけるダウンリンクチャネルアクセスのためのＣＣＡをその間に実行し得る時間期間が識別され得る。無認可無線周波数スペクトル帯域へのフェアアクセスを容易にするために、異なる事業者は、異なるＣＣＡ時間期間において異なるＣＣＡ優先度を与えられ得る。そのような協調は、装置またはノードが、同期されたおよびフェアな方式でアクセスを求め、無線周波数信号を送信する同期システムを生じる。
【００３４】
[0047]そのような時間同期は単一事業者展開内では保証されることがあるが、それは、無認可無線周波数スペクトル帯域の同じチャネル上でサービスを展開する異なる事業者間では保証されることもされないこともある。したがって、異なる事業者の基地局は非同期的に動作し得る。より詳細には、協調基地局（coordinated base stations）の第１のセットが、ＬＢＴフレームにおいて協調基地局の他のセットよりも早くＣＣＡを実行する場合、協調基地局の第１のセットは、比較的多数の連続するＬＢＴフレーム中に送信していることがあり、その結果、協調基地局の他のセットによる無認可無線周波数スペクトル帯域へのアクセスのための複数の連続する不成功の競合が生じ得る。したがって、無認可無線周波数スペクトルへのアクセスが、１つまたは複数のＬＢＴフレームの間、事業者の基地局によって勝ち取られたとき、無認可無線周波数スペクトル帯域へのアクセスがそのＬＢＴフレームの間勝ち取られた、ＬＢＴフレームの数が、連続するＬＢＴフレームのしきい値数（たとえば、Ｎ個の連続するＬＢＴフレーム）に等しいかまたはそれよりも大きいかどうかに関する決定が行われ得る。無認可無線周波数スペクトル帯域へのアクセスがそのＬＢＴフレームの間勝ち取られた、ＬＢＴフレームの数が、連続するＬＢＴフレームのしきい値数に等しいかまたはそれよりも大きい場合、無認可無線周波数スペクトル帯域へのアクセスは、他の事業者の基地局が無認可無線周波数スペクトル帯域にアクセスすることを可能にするために、ある時間期間（たとえば、Ｋ個のＬＢＴフレーム）の間放棄され（relinquished）得る。基地局が、プロトコルによって、Ｎ個のＬＢＴフレームの間、無認可無線周波数スペクトル帯域のチャネルにアクセスし得るが、次いで、Ｋ個のＬＢＴフレームの間、無認可無線周波数スペクトル帯域のチャネルへのアクセスを放棄することを要求されるそのプロトコルは、Ｎ／Ｋプロトコルと呼ばれることがある。無認可無線周波数スペクトル帯域の放棄は、たとえば、ある時間期間の間、無認可無線周波数スペクトル帯域上での競合プロシージャおよび／または送信／受信を停止することによって達成され得る。
【００３５】
[0048]異なる事業者の基地局が非同期タイミングを有する場合、無認可無線周波数スペクトル帯域における少なくともいくつかの非同期送信（たとえば、非同期ＣＥＴ）を保護することによって、同じくまたは代替的に、無認可無線周波数スペクトル帯域へのフェアアクセスが容易にされ得る。いくつかのワイヤレス通信システムでは、第１の事業者の第１の基地局の非同期送信と、第２の事業者の第２の基地局の非同期送信とが互いに干渉し得る。発見信号、システム情報、および／または構成情報を含んでいるＣＥＴなど、いくつかの送信の場合、モバイルデバイスがその送信を受信することに失敗することは、無認可無線周波数スペクトル帯域の関連するチャネル上でモバイルデバイスがデータを受信および／または送信することを妨げ得る。同様に、基地局が、モバイルデバイスからアップリンクＣＥＴを受信することに失敗したとき、基地局と、それがサービスするモバイルデバイスとの間の通信が妨害され得る。モバイルデバイスが、それらのサービング基地局によって送信されたＣＥＴを受信し、サービング基地局が、それがサービスするモバイルデバイスからアップリンクＣＥＴを受信する可能性を増加させるために、第１の事業者の第１の基地局は、第２の事業者の第２の基地局、および／または第２の事業者の第２の基地局によってサービスされるモバイルデバイス、の少なくともいくつかの送信（たとえば、ＣＥＴ）の送信タイミング中に、送信を中断し得る。同様に、第２の事業者の第２の基地局は、第１の事業者の第１の基地局、および／または第１の事業者の第１の基地局によってサービスされるモバイルデバイス、の少なくともいくつかの送信（たとえば、ＣＥＴ）の送信タイミング中に、送信を中断し得る。
【００３６】
[0049]一態様では、図１は、ネイバリング基地局１０５−ａおよび１０５−ｂ、ならびに関連するモバイルデバイス１１５−ａおよび１１５−ｂの一例を示す。第１の基地局１０５−ａおよび第２の基地局１０５−ｂは、それぞれ、第１のカバレージエリア１１０−ａおよび第２のカバレージエリア１１０−ｂなど、重複するカバレージエリアを有し得る。この例では、第１の基地局１０５−ａは、無認可無線周波数スペクトル帯域における第１の通信リンク１２５−ａを使用して第１のモバイルデバイス１１５−ａと通信し得る。同様に、第２の基地局１０５−ｂは、無認可無線周波数スペクトル帯域における第２の通信リンク１２５−ｂを使用して第２のモバイルデバイス１１５−ｂと通信し得る。いくつかの展開によれば、第１の基地局１０５−ａおよび第１のモバイルデバイス１１５−ａは、第１の事業者のネットワークにおいて展開され得、第１の事業者の基地局１０５の間で協調された競合期間中に各同期フレーム上で独立して無認可無線周波数スペクトル帯域について協調され、それを求めて競合し得る。さらに、いくつかの展開では、第２の基地局１０５−ｂおよび第２のモバイルデバイス１１５−ｂは、第２の事業者のネットワークにおいて展開され得、第２の事業者の基地局１０５の間で協調された競合期間中に各同期フレーム上で独立して無認可無線周波数スペクトル帯域について協調され、それを求めて競合し得る。上述のように、第１の基地局１０５−ａと第１のモバイルデバイス１１５−ａと第２の基地局１０５−ｂと第２のモバイルデバイス１１５−ｂとが同期されない例では、および無認可無線周波数スペクトル帯域へのアクセスを規制するためのＮ／Ｋプロトコルの不在下では、事業者のうちの１つは、協調競合期間が非同期であるとき、比較的長い時間期間の間無認可無線周波数スペクトル帯域にアクセスするのを妨げられ得る。よく理解されるように、たとえば、Ｗｉ−Ｆｉアクセスポイントを含む、他のユーザも、無認可無線周波数スペクトル帯域において信号を送信し得る。Ｗｉ−Ｆｉアクセスポイントは、無認可無線周波数スペクトル帯域においてＷｉ−Ｆｉ信号を送信し得る。
【００３７】
[0050]上述のように、Ｗｉ−Ｆｉアクセスポイントは、１つまたは複数の他のデバイスと非同期的に通信し得、無認可無線周波数スペクトル帯域へのアクセスを求める他のデバイスに勝る優先度を有しないことがある。したがって、Ｗｉ−Ｆｉアクセスポイントは、無認可無線周波数スペクトル帯域にアクセスするために使用される標準ＬＢＴプロシージャを通して、無認可無線周波数スペクトル帯域へのチャネルアクセスを獲得し得る。Ｗｉ−Ｆｉアクセスポイントが、第１の基地局１０５−ａおよび／または第２の基地局１０５−ｂの一方または両方のＣＣＡプロシージャ中にすでに送信している場合、Ｗｉ−Ｆｉアクセスポイントは、無認可無線周波数スペクトル帯域へのアクセスを保持することになり、第１の基地局１０５−ａおよび第２の基地局１０５−ｂは、成功したＣＣＡプロシージャを実行するまで、無認可無線周波数スペクトル帯域を使用して送信しないであろう。
【００３８】
[0051]第２のモバイルデバイス１１５−ｂが、無認可無線周波数スペクトル帯域にアクセスするための競合に勝ち、第２の基地局１０５−ｂへのアップリンク送信を行っているとき、アップリンク送信は、第２のモバイルデバイス１１５−ｂの送信電力および／または他のファクタによる干渉を受けやすいことがある。第２の基地局１０５−ｂが第２のモバイルデバイス１１５−ｂからアップリンク送信を受信する可能性を増加させるために、（第２の基地局１０５−ｂとは異なる事業者の）第１の基地局１０５−ａは、第２の基地局１０５−ｂに関連するアップリンク構成情報とダウンリンク構成情報とを監視し得る。次いで、アップリンク構成情報および／またはダウンリンク構成情報に少なくとも部分的に基づいて、第２のモバイルデバイス１１５−ｂから第２の基地局１０５−ｂへのアップリンク送信中に、第１の基地局１０５−ａによる無認可無線周波数スペクトル帯域へのアクセスが禁止され得る。
【００３９】
[0052]図２に、本開示の様々な態様による、ＬＴＥ／ＬＴＥ−Ａが、無認可無線周波数スペクトル帯域を使用して異なるシナリオの下で展開されるワイヤレス通信システム２００を示す。より詳細には、図２は、ＬＴＥ／ＬＴＥ−Ａが、無認可無線周波数スペクトル帯域を使用して展開される、補足ダウンリンクモード、キャリアアグリゲーションモード、およびスタンドアロンモードの例を示す。ワイヤレス通信システム２００は、図１に関して説明したワイヤレス通信システム１００の部分の一例であり得る。さらに、第１の基地局２０５および第２の基地局２０５−ａは、図１に関して説明した基地局１０５のうちの１つまたは複数の態様の例であり得、第１のモバイルデバイス２１５、第２のモバイルデバイス２１５−ａ、第３のモバイルデバイス２１５−ｂ、および第４のモバイルデバイス２１５−ｃは、図１に関して説明したモバイルデバイス１１５のうちの１つまたは複数の態様の例であり得る。
【００４０】
[0053]ワイヤレス通信システム２００における補足ダウンリンクモードの例では、第１の基地局２０５は、ダウンリンクチャネル２２０を使用して第１のモバイルデバイス２１５にＯＦＤＭＡ波形を送信し得る。ダウンリンクチャネル２２０は、無認可無線周波数スペクトル帯域における周波数Ｆ１に関連し得る。第１の基地局２０５は、第１の双方向リンク２２５を使用して第１のモバイルデバイス２１５にＯＦＤＭＡ波形を送信し得、第１の双方向リンク２２５を使用して第１のモバイルデバイス２１５からＳＣ−ＦＤＭＡ波形を受信し得る。第１の双方向リンク２２５は、認可無線周波数スペクトル帯域における周波数Ｆ４に関連し得る。無認可無線周波数スペクトル帯域におけるダウンリンクチャネル２２０および認可無線周波数スペクトル帯域における第１の双方向リンク２２５は、コンカレントに動作し得る。ダウンリンクチャネル２２０はダウンリンク容量オフロードを第１の基地局２０５に対して与え得る。いくつかの例では、ダウンリンクチャネル２２０は、（たとえば、１つのモバイルデバイスにアドレス指定された）ユニキャストサービスのために、または（たとえば、いくつかのモバイルデバイスにアドレス指定された）マルチキャストサービスのために使用され得る。このシナリオは、認可無線周波数スペクトルを使用し、トラフィックおよび／またはシグナリングの輻輳の一部を軽減する必要があるどんなサービスプロバイダ（たとえば、ＭＮＯ）の場合にも起こり得る。
【００４１】
[0054]ワイヤレス通信システム２００におけるキャリアアグリゲーションモードの一例では、第１の基地局２０５は、第２の双方向リンク２３０を使用して第２のモバイルデバイス２１５−ａにＯＦＤＭＡ波形を送信し得、第２の双方向リンク２３０を使用して第２のモバイルデバイス２１５−ａからＯＦＤＭＡ波形、ＳＣ−ＦＤＭＡ波形、および／またはリソースブロックインターリーブＦＤＭＡ波形を受信し得る。第２の双方向リンク２３０は、無認可無線周波数スペクトル帯域における周波数Ｆ１に関連し得る。第１の基地局２０５はまた、第３の双方向リンク２３５を使用して第２のモバイルデバイス２１５−ａにＯＦＤＭＡ波形を送信し得、第３の双方向リンク２３５を使用して第２のモバイルデバイス２１５−ａからＳＣ−ＦＤＭＡ波形を受信し得る。第３の双方向リンク２３５は、認可無線周波数スペクトル帯域における周波数Ｆ２に関連し得る。第２の双方向リンク２３０は、ダウンリンクおよびアップリンク容量オフロードを第１の基地局２０５に対して与え得る。上記で説明した補助ダウンリンクのように、このシナリオは、認可無線周波数スペクトルを使用し、トラフィックおよび／またはシグナリング輻輳の一部を軽減する必要があるどんなサービスプロバイダ（たとえば、ＭＮＯ）の場合にも起こり得る。
【００４２】
[0055]ワイヤレス通信システム２００におけるキャリアアグリゲーションモードの別の例では、第１の基地局２０５は、第４の双方向リンク２４０を使用して第３のモバイルデバイス２１５−ｂにＯＦＤＭＡ波形を送信し得、第４の双方向リンク２４０を使用して第３のモバイルデバイス２１５−ｂからＯＦＤＭＡ波形、ＳＣ−ＦＤＭＡ波形、および／またはリソースブロックインターリーブ波形を受信し得る。第４の双方向リンク２４０は、無認可無線周波数スペクトル帯域における周波数Ｆ３に関連し得る。第１の基地局２０５はまた、第５の双方向リンク２４５を使用して第３のモバイルデバイス２１５−ｂにＯＦＤＭＡ波形を送信し得、第５の双方向リンク２４５を使用して第３のモバイルデバイス２１５−ｂからＳＣ−ＦＤＭＡ波形を受信し得る。第５の双方向リンク２４５は、認可無線周波数スペクトル帯域における周波数Ｆ２に関連し得る。第４の双方向リンク２４０は、ダウンリンクおよびアップリンク容量オフロードを第１の基地局２０５に対して与え得る。この例および上記で与えた例は説明の目的で提示され、容量オフロードのために、認可無線周波数スペクトルにおけるＬＴＥ／ＬＴＥ−Ａと共有アクセス無線周波数スペクトルにおけるＬＴＥ／ＬＴＥ−Ａとを組み合わせる他の同様の動作モードまたは展開シナリオがあり得る。
【００４３】
[0056]上記で説明したように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権利を有する旧来のＭＮＯである。これらのサービスプロバイダの場合、動作例は、認可無線周波数スペクトル帯域上のＬＴＥ／ＬＴＥ−Ａ１次コンポーネントキャリア（ＰＣＣ）と無認可無線周波数スペクトル帯域上の少なくとも１つの２次コンポーネントキャリア（ＳＣＣ）とを使用するブートストラップモード（たとえば、補足ダウンリンク、キャリアアグリゲーション）を含み得る。
【００４４】
[0057]キャリアアグリゲーションモードでは、たとえば、認可無線周波数スペクトルにおいて（たとえば、第１の双方向リンク２２５と、第３の双方向リンク２３５と、第５の双方向リンク２４５とを介して）データおよび制御が通信され得、たとえば、無認可無線周波数スペクトル帯域において（たとえば、第２の双方向リンク２３０と第４の双方向リンク２４０とを介して）データが通信され得る。共有アクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り（fall under）得る。
【００４５】
[0058]ワイヤレス通信システム２００におけるスタンドアロンモードの一例では、第２の基地局２０５−ａは、双方向リンク２５０を使用して第４のモバイルデバイス２１５−ｃにＯＦＤＭＡ波形を送信し得、双方向リンク２５０を使用して第４のモバイルデバイス２１５−ｃからＯＦＤＭＡ波形、ＳＣ−ＦＤＭＡ波形、および／またはリソースブロックインターリーブＦＤＭＡ波形を受信し得る。双方向リンク２５０は、無認可無線周波数スペクトル帯域における周波数Ｆ３に関連し得る。スタンドアロンモードは、スタジアム内アクセス（in-stadium access）（たとえば、ユニキャスト、マルチキャスト）など、非旧来型ワイヤレスアクセスシナリオ（non-traditional wireless access scenarios）において使用され得る。この動作モードのためのサービスプロバイダのタイプの一例は、認可無線周波数スペクトル帯域へのアクセスを有しないスタジアム所有者、ケーブル会社、イベント主催者、ホテル、企業、または大企業であり得る。
【００４６】
[0059]いくつかの例では、図１および／または図２に関して説明した基地局１０５および／または２０５のうちの１つなどの送信装置は、無認可無線周波数スペクトル帯域のチャネルへの（たとえば、無認可無線周波数スペクトル帯域の物理チャネルへの）アクセスを獲得するために、ゲーティング間隔を使用し得る。ゲーティング間隔は、ＥＴＳＩ（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がＣＣＡをいつ実行する必要があるかを示し得る。ＣＣＡの結果は、無認可無線周波数スペクトル帯域のチャネルが（ＬＢＴフレームとも呼ばれる）ゲーティング間隔のために使用中であるのか、または利用可能であるのかを送信デバイスに示し得る。チャネルが、対応するＬＢＴフレームのために利用可能（たとえば、使用のために「クリア」）であることをＣＣＡが示すとき、送信装置は、ＬＢＴフレームの一部または全部の間に無認可無線周波数スペクトル帯域のチャネルを予約および／または使用し得る。チャネルが利用可能でないこと（たとえば、チャネルが別の装置によって使用中または予約済みであること）をＣＣＡが示すとき、送信装置は、ＬＢＴフレーム中にそのチャネルを使用することを妨げられ得る。
【００４７】
[0060]場合によっては、送信装置にとって、周期的にゲーティング間隔を生成し、ゲーティング間隔の少なくとも１つの境界を周期的フレーム構造の少なくとも１つの境界と同期させることが有用であり得る。たとえば、無認可無線周波数スペクトル帯域におけるセルラーダウンリンクのための周期的ゲーティング間隔を生成し、周期的ゲーティング間隔の少なくとも１つの境界をセルラーダウンリンクに関連する周期的フレーム構造（たとえば、周期的ＬＴＥ／ＬＴＥ−Ａ無線フレーム構造）の少なくとも１つの境界と同期させることが有用であり得る。そのような同期の例を図３に示す。
【００４８】
[0061]図３に、本開示の様々な態様による、無認可無線周波数スペクトル帯域におけるセルラーダウンリンクのためのゲーティング間隔（またはＬＢＴフレーム）の例３００を示す。第１のゲーティング間隔３０５、第２のゲーティング間隔３１５、および／または第３のゲーティング間隔３２５は、無認可無線周波数スペクトル帯域上での送信をサポートするｅＮＢによって周期的ゲーティング間隔として使用され得る。そのようなｅＮＢの例は、図１および／または図２に関して説明した基地局１０５および／または２０５を含み得る。第１のゲーティング間隔３０５、第２のゲーティング間隔３１５、および／または第３のゲーティング間隔３２５は、図１および／または図２に関して説明したワイヤレス通信システム１００および／または２００とともに使用され得る。
【００４９】
[0062]例として、第１のゲーティング間隔３０５の持続時間は、セルラーダウンリンクに関連する周期的フレーム構造のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が、周期的フレーム構造の持続時間のサイクリックプレフィックス（ＣＰ）持続時間内であることを意味する。
【００５０】
[0063]第１のゲーティング間隔３０５の少なくとも１つの境界は、ＬＴＥ／ＬＴＥ−Ａ無線フレームＮ−１〜Ｎ＋１を含む周期的フレーム構造の少なくとも１つの境界と同期され得る。場合によっては、第１のゲーティング間隔３０５は、周期的フレーム構造のフレーム境界と整合された境界を有し得る。他の場合には、第１のゲーティング間隔３０５は、周期的フレーム構造のフレーム境界と同期されるが、それからオフセットされた境界を有し得る。たとえば、第１のゲーティング間隔３０５の境界は、周期的フレーム構造のサブフレーム境界と、または周期的フレーム構造のサブフレーム中間点境界（subframe midpoint boundaries）（たとえば、特定のサブフレームの中間点（midpoints））と整合され得る。
【００５１】
[0064]場合によっては、周期的フレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も１０ミリ秒の持続時間を有し得る。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００５２】
[0065]例として、第２のゲーティング間隔３１５および第３のゲーティング間隔３２５の持続時間は、セルラーダウンリンクに関連する周期的フレーム構造の持続時間の約数（sub-multiples）（または、それの近似約数）であることが示されている。いくつかの例では、「の近似約数」は、第２のゲーティング間隔３１５および／または第３のゲーティング間隔３２５の持続時間が、周期的フレーム構造の約数（たとえば、１／２または１／１０）の持続時間のサイクリックプレフィックス（ＣＰ）持続時間内であることを意味する。たとえば、第２のゲーティング間隔３１５は５ミリ秒の持続時間を有し得、第３のゲーティング間隔３２５は２ミリ秒の持続時間を有し得る。第２のゲーティング間隔３１５または第３のゲーティング間隔３２５は、それのより短い持続時間のために、第１のゲーティング間隔３０５よりも有利であり得、このことは、本明細書で説明するＮ／Ｋプロトコルに従って、無認可無線周波数スペクトル帯域のより頻繁な共有を容易にし得る。
【００５３】
[0066]５ミリ秒の持続時間を有する第２のゲーティング間隔３１５またはＬＢＴフレームの場合、および例として、第２のゲーティング間隔３１５はＴＤＤ構成を有し得る。そのような例では、第２のゲーティング間隔３１５は、ダウンリンクＣＣＡ（ＤＣＣＡ）を実行するための１つまたは複数のＯＦＤＭシンボル、および／またはアップリンクＣＣＡ（ＵＣＣＡ）を実行するための１つまたは複数のＯＦＤＭシンボル、を含み得る。ダウンリンクＣＣＡおよび／またはアップリンクＣＣＡを実行するための１つまたは複数のＯＦＤＭシンボルのプロビジョンおよびタイミング（provision and timing）は、ゲーティング間隔のＴＤＤ構成（たとえば、ダウンリンク／アップリンク構成）に応じて異なり得る。第２のゲーティング間隔３１５は、場合によっては、ダウンリンク専用ＴＤＤ構成（a downlink only TDD configuration）、アップリンク専用ＴＤＤ構成、または混合ダウンリンク／アップリンクＴＤＤ構成に対応し得る。第２のゲーティング間隔３１５またはＬＢＴフレームのダウンリンク／アップリンク構成は、（与えられたとき）ゲーティング間隔の（たとえば、第１のダウンリンク（Ｄ）サブフレームの）ダウンリンク制御領域中でシグナリングされ得る。ダウンリンクＣＣＡまたはアップリンクＣＣＡを実行するための１つまたは複数のＯＦＤＭシンボルのプロビジョンに続いて、第２のゲーティング間隔３１５またはＬＢＴフレームは、チャネル使用ビーコン信号（ＣＵＢＳ）を送信するための１つまたは複数のＯＦＤＭシンボルを与え得る。ＣＵＢＳは、第２のゲーティング間隔３１５またはＬＢＴフレームのためのアップリンク構成情報とダウンリンク構成情報とを含み得る。
【００５４】
[0067]無認可無線周波数スペクトル帯域を使用する補足ダウンリンク動作モードでは、およびいくつかの例では、基地局は、５つのダウンリンクサブフレームを有する５ミリ秒の第２のゲーティング間隔３１５を採用し得、５つのサブフレームのうちの最後のものはスペシャルサブフレームである。スペシャルサブフレームは、ＣＣＡプロシージャを実行するために予約された部分を有し得る。無認可無線周波数スペクトル帯域を使用するＴＤＤ動作モードでは、およびいくつかの例では、基地局は、ダウンリンクサブフレームと、アップリンクＣＣＡを実行するためのスペシャルサブフレームと、３つのアップリンクサブフレームとを含むフレームのセットなど、アップリンクサブフレームおよびダウンリンクサブフレームの動的に選択された構成を有する５ミリ秒の第２のゲーティング間隔３１５を採用し得る。
【００５５】
[0068]２ミリ秒の持続時間を有する第３のゲーティング間隔３２５またはＬＢＴフレームの場合、および例として、第３のゲーティング間隔３２５またはＬＢＴフレームは、いくつかの例ではＴＤＤ構成を有し得る。そのような例では、第３のゲーティング間隔３２５は、ダウンリンクＣＣＡ（ＤＣＣＡ）を実行するための１つまたは複数のＯＦＤＭシンボル、および／またはアップリンクＣＣＡ（ＵＣＣＡ）を実行するための１つまたは複数のＯＦＤＭシンボルを含み得る。ダウンリンクＣＣＡおよび／またはアップリンクＣＣＡを実行するための１つまたは複数のＯＦＤＭシンボルのプロビジョンおよびタイミングは、特定のゲーティング間隔のＴＤＤ構成（たとえば、ダウンリンク／アップリンク構成）に応じて異なり得る。第３のゲーティング間隔３２５は、場合によっては、ダウンリンク専用ＴＤＤ構成、アップリンク専用ＴＤＤ構成、または混合ダウンリンク／アップリンクＴＤＤ構成に対応し得る。第３のゲーティング間隔の短い持続時間のために、ダウンリンク専用ＴＤＤ構成またはアップリンク専用ＴＤＤ構成はオーバーヘッドを低減し得る。第３のゲーティング間隔３２５またはＬＢＴフレームのダウンリンク／アップリンク構成は、（与えられたとき）ゲーティング間隔の（たとえば、第１のダウンリンク（Ｄ）サブフレームの）ダウンリンク制御領域中でシグナリングされ得る。ダウンリンクＣＣＡまたはアップリンクＣＣＡを実行するための１つまたは複数のＯＦＤＭシンボルのプロビジョンに続いて、第３のゲーティング間隔３２５またはＬＢＴフレームは、チャネル使用ビーコン信号（ＣＵＢＳ）を送信するための１つまたは複数のＯＦＤＭシンボルを与え得る。ＣＵＢＳは、第３のゲーティング間隔３２５またはＬＢＴフレームのためのアップリンク構成情報とダウンリンク構成情報とを含み得る。
【００５６】
[0069]２ミリ秒の第３のゲーティング間隔３２５は、それが、他の事業者のＣＥＴを保護するためのオーバーヘッドをさらに低減し得るという点で有用であり得る。２ミリ秒の第３のゲーティング間隔３２５はまた、無認可無線周波数スペクトル帯域にアクセスするための遅延を最小限に抑え得る。無認可無線周波数スペクトル帯域を使用するＴＤＤ動作モードでは、およびいくつかの例では、いくつかの２ミリ秒の第３のゲーティング間隔３１５の各々は、アップリンクＬＢＴフレームまたはダウンリンクＬＢＴフレームに対応し得る。
【００５７】
[0070]ゲーティング間隔またはＬＢＴフレームの始まりに（たとえば、第１のゲーティング間隔３０５、第２のゲーティング間隔３１５、または第３のゲーティング間隔３２５の始まりに）、または前のゲーティング間隔またはＬＢＴフレームの終わりに、ゲーティング間隔と同期され、ＬＢＴフレームへのアクセスを求めて競合することを望むいくつかの基地局の各々によって、ＣＣＡは実行され得る。ＬＢＴフレームへのアクセスを勝ち取ると、基地局は、ＬＢＴフレームへのアクセスを予約するために、および／または１つまたは複数のモバイルデバイスがＬＢＴフレームに同期することを可能にするために、ＣＵＢＳを送信し得る。ある事業者の基地局は同期的に動作させられるが、異なる事業者の基地局は非同期的に動作させられるとき、異なる事業者によって共有される無認可無線周波数スペクトル帯域へのアクセスが非同期動作プロトコル（たとえば、Ｎ／Ｋプロトコル）によって管理され、ＣＵＢＳの検出によって管理されないので、ＣＵＢＳは固定持続時間を有し得る。
【００５８】
[0071]第１の事業者の第１の基地局の送信が第２の事業者の第２の基地局の送信と非同期である非同期事業者の場合、無認可無線周波数スペクトル帯域の共有は、Ｎ個の連続するＬＢＴフレームの間ＣＣＡの実行に成功した基地局が、次のＫ個のＬＢＴフレーム上でのＬＢＴプロシージャに参加しない、Ｎ／Ｋプロトコルの使用によって容易にされ得る。このようにして、たとえば、第２の事業者の第２の基地局は、第１の事業者のＣＣＡおよび第２の事業者のＣＣＡが実行される時間的順序（すなわち、第１の事業者のＣＣＡタイミングおよび第２の事業者のＣＣＡタイミング）をＬＢＴフレームごとに（from one LBT frame to a next LBT frame）同期的に変更するためのプロシージャがないにもかかわらず、無認可無線周波数スペクトル帯域のチャネルへのアクセスを獲得する機会を与えられ得る。Ｎの値は、たとえば、２つ、３つ、４つ、または５つのＬＢＴフレームであり得、Ｋの値は、たとえば、０または１つのＬＢＴフレームであり得る。ＬＢＴフレームの持続時間は、それぞれ、第１のゲーティング間隔３０５、第２のゲーティング間隔３１５、および第３のゲーティング間隔３２５によって表されるように、たとえば、１０ミリ秒、５ミリ秒、または２ミリ秒であり得る。１０ミリ秒の第１のゲーティング間隔３０５またはＬＢＴフレームは、ＬＴＥ／ＬＴＥ−Ａ無線フレーム３１０の持続時間に対応する。
【００５９】
[0072]図４に、本開示の様々な態様による、第１の事業者（たとえば、事業者１）の第１の基地局が第２の事業者（たとえば、事業者２）の第２の基地局のアップリンク送信をどのように保護し得るかについての一例４００を示す。より詳細には、図４は、無認可無線周波数スペクトル帯域上での、３つのそれぞれの非同期事業者（たとえば、事業者１、事業者２、および事業者３）の３つの基地局の例示的な送信を示す。図示のように、事業者１は、第１のＣＣＡ４１０−ａを実行した後、第１のＬＢＴフレーム４０５−ａ中に、無認可無線周波数スペクトル帯域へのアクセスを獲得し得る。Ｎ／Ｋプロトコルが有効であり、事業者１が、第１のＬＢＴフレーム４０５−ａのそれの使用でＮ個のＬＢＴフレームのそれのしきい値を満たしたと仮定すると、事業者１は、第２のＣＣＡ４１０−ｂを実行することを控え、第２のＬＢＴフレーム４０５−ｂ中に、無認可無線周波数スペクトル帯域上で送信しないことがある。次のＣＣＡ機会において、事業者１は、Ｎ／Ｋプロトコルによって、第３のＬＢＴフレーム４０５−ｃへのアクセスを求めて競合するために第３のＣＣＡ４１０−ｃを実行することを許可される。しかしながら、事業者１が、事業者２の第２の基地局へのアップリンク送信のために使用される１つまたは複数のアップリンクサブフレームの送信タイミングを識別したので、事業者１は、第３のＣＣＡ４１０−ｃを実行することを禁止され得、第３のＬＢＴフレーム４０５−ｃ中に、無認可無線周波数スペクトル帯域にアクセスしないことがある。これにより、事業者２の第２の基地局が、１つまたは複数のアップリンクサブフレーム中に１つまたは複数のアップリンク送信を受信する可能性が増加し得る。さらなるＣＣＡ機会において、事業者１は、Ｎ／Ｋプロトコルによって、第４のＬＢＴフレーム４０５−ｄ中に無認可無線周波数スペクトル帯域へのアクセスを求めて競合するために第４のＣＣＡ４１０−ｄを実行することを許可される。しかしながら、事業者１が、事業者２の第２の基地局へのアップリンク送信のために使用される追加の１つまたは複数のアップリンクサブフレームの送信タイミングを識別したので、事業者１は、第４のＣＣＡ４１０−ｄを実行することを禁止され得、第４のＬＢＴフレーム４０５−ｄ中に、無認可無線周波数スペクトルにアクセスしないことがある。これにより、事業者２の第２の基地局が追加の１つまたは複数のアップリンクサブフレームを受信する可能性が増加し得る。
【００６０】
[0073]事業者２は、第５のＬＢＴフレーム４１５−ａ中に無認可無線周波数スペクトル帯域へのアクセスを獲得するために第５のＣＣＡ４２０−ａを実行し得る。しかしながら、事業者１が無認可無線周波数スペクトル帯域をすでに使用しているので、第５のＣＣＡ４２０−ａは失敗することになり、事業者２は、第５のＬＢＴフレーム４１５−ａ中に、無認可無線周波数スペクトル帯域上で送信しないことがある。次のＣＣＡ機会において、事業者２は、第６のＬＢＴフレーム４１５−ｂへのアクセスを獲得するために第６のＣＣＡ４２０−ｂを実行し得る。無認可無線周波数スペクトル帯域が使用中でないので、事業者２は、競合に勝ち、第６のＬＢＴフレーム４１５−ｂ中に、無認可無線周波数スペクトル帯域にアクセスし得る。事業者２は、同様に、第７のＬＢＴフレーム４１５−ｃへのアクセスを獲得するために第７のＣＣＡ４２０−ｃを実行し得、他の事業者が無認可無線周波数スペクトル帯域を使用していないか、またはそれを求めて競合していないので、事業者２は、競合に勝ち、第７のＬＢＴフレーム４１５−ｃ中に、無認可無線周波数スペクトル帯域にアクセスし得る。しかしながら、Ｎ／ＫプロトコルにおいてＮ＝２であると仮定すると、事業者２は、第８のＣＣＡ４２０−ｄを実行することを控え、第８のＬＢＴフレーム４１５−ｄ中に、無認可無線周波数スペクトル帯域上で送信しないことがある。
【００６１】
[0074]事業者３は、第９のＬＢＴフレーム４２５−ａ中に無認可無線周波数スペクトル帯域へのアクセスを獲得するために、第９のＣＣＡ４３０−ａを実行し得る。しかしながら、事業者１が無認可無線周波数スペクトル帯域をすでに使用しているので、第９のＣＣＡ４３０−ａは失敗することになり、事業者３は、第９のＬＢＴフレーム４２５−ａ中に、無認可無線周波数スペクトル帯域にアクセスするための競合に勝たないことがある。事業者３は、同様に、第１０のＬＢＴフレーム４２５−ｂおよび第１１のＬＢＴフレーム４２５−ｃへのそれぞれのアクセスを獲得するために、第１０のＣＣＡ４３０−ｂおよび第１１のＣＣＡ４３０−ｃを実行し得る。しかしながら、事業者２が無認可無線周波数スペクトル帯域をすでに使用しているので、第１０のＣＣＡ４３０−ｂおよび第１１のＣＣＡ４３０−ｃは失敗することになり、事業者３は、第１０のＬＢＴフレーム４２５−ｂまたは第１１のＬＢＴフレーム４２５−ｃ中に、無認可無線周波数スペクトル帯域にアクセスするための競合に勝たないことがある。次のＣＣＡ機会において、事業者３は、第１２のＬＢＴフレーム４２５−ｄへのアクセスを獲得するために第１２のＣＣＡ４３０−ｄを実行し得る。無認可無線周波数スペクトル帯域が使用中でないので、事業者３は、第１２のＬＢＴフレーム４２５−ｄ中に、無認可無線周波数スペクトル帯域上で送信し得る。
【００６２】
[0075]図５に、本開示の様々な態様による、無認可無線周波数スペクトル帯域上での、３つのそれぞれの非同期事業者（たとえば、事業者１、事業者２、および事業者３）の３つの基地局の例示的な送信５００を示す。図示のように、事業者１は、ＣＣＡ５３５を実行した後、第１のＬＢＴフレーム５０５中に、無認可無線周波数スペクトル帯域へのアクセスを獲得し得る。しかしながら、事業者１は、第１のＬＢＴフレーム５０５のサブフレーム３およびサブフレーム４の一部中に、事業者３が第５のＬＢＴフレーム５２５のサブフレーム５中にＣＥＴを送信することに気づいているので、事業者１は、第１のＬＢＴフレーム５０５のサブフレーム３およびサブフレーム４中に送信を中断し得る。送信の中断は、オーバーヘッドを制限するために、事業者３のＣＥＴと重複するサブフレーム（または他の送信期間）に限定され得る。第１のＬＢＴフレーム５０５のサブフレーム５中に、事業者１はそれ自体のＣＥＴを送信し得る。その後、事業者１は、第１のＬＢＴフレーム５０５のサブフレーム６と、サブフレーム７と、サブフレーム８と、サブフレーム９の一部とにおいて、無認可無線周波数スペクトル帯域上でそれの送信を続け得る。第１のＬＢＴフレーム５０５のサブフレーム９の後半において、事業者１は、ＣＣＡ５４０の実行に成功した後、第２のＬＢＴフレーム５１０中に、無認可無線周波数スペクトル帯域へのアクセスを獲得し得る。事業者１は、第２のＬＢＴフレーム５１０のサブフレーム６およびサブフレーム７の一部中に、事業者２が第４のＬＢＴフレーム５２０のサブフレーム５中にＣＥＴを送信することに気づいているので、事業者１は、第２のＬＢＴフレーム５１０のサブフレーム６およびサブフレーム７中に送信を中断し得る。第２のＬＢＴフレーム５１０のサブフレーム８およびサブフレーム９中に、ならびに第２のＬＢＴフレーム５１０の全体へのアクセスを獲得するためにＣＣＡ５４０が実行されたので、事業者１は、場合によっては、サブフレーム８およびサブフレーム９において送信を続け得る。しかしながら、事業者１がサブフレーム６およびサブフレーム７中に送信を中断するとき、他のデバイスが無認可無線周波数スペクトル帯域へのアクセスを獲得する機会が存在する。たとえば、事業者２によって送信されたＣＥＴがサブフレーム６およびサブフレーム７の持続時間を満たさないので、別の送信装置（たとえば、Ｗｉ−Ｆｉ装置）は、ＣＣＡを実行し、無認可無線周波数スペクトル帯域へのアクセスを獲得する機会を有し得る。図５は、事業者１、事業者２、および事業者３が送信していないサブフレーム７の部分中に、Ｗｉ−Ｆｉ装置（図示せず）が無認可無線周波数スペクトル帯域へのアクセスを獲得することを仮定する。その結果、および例として、図５は、事業者１が、サブフレーム７、サブフレーム８、およびサブフレーム９中に送信を中断することを示す。Ｗｉ−Ｆｉ装置が第２のＬＢＴフレーム５１０のサブフレーム８を通して送信し続けると仮定すると、第６のＬＢＴフレーム５３０のサブフレーム９中に事業者３によって実行されるＣＣＡ５６０は成功しないことがある。したがって、事業者３がＣＣＡ５６０を実行するとき、事業者１および事業者２が無認可無線周波数スペクトル帯域へのアクセスを有しないという事実にもかかわらず、事業者３は、次のＬＢＴフレームへのアクセスを獲得することが可能でないことがある。
【００６３】
[0076]事業者１、事業者２、および事業者３によって実行されるＣＣＡの非同期タイミング、およびＣＣＡ５４５、５５０、５５５、および５６０のタイミングの関係により、事業者１は、事業者２および事業者３が第３のＬＢＴフレーム５１５、第４のＬＢＴフレーム５２０、および第５のＬＢＴフレーム５２５中に無認可無線周波数スペクトル帯域にアクセスすることを妨げ得る。しかしながら、事業者１が、Ｎ＝２とＫ＝１とでＮ／Ｋプロトコルを実装する場合、事業者１は、第２のＬＢＴフレーム５１０に続く無認可無線周波数スペクトル帯域を放棄し、それにより、事業者２が、第４のＬＢＴフレーム５２０に続く無認可無線周波数スペクトル帯域へのアクセスを獲得することを可能にし得る（すなわち、第２のＬＢＴフレーム５１０のサブフレーム７中に無認可無線周波数スペクトル帯域へのアクセスを獲得したＷｉ−Ｆｉデバイスが送信を中断したと仮定する）。
【００６４】
[0077]事業者１が、第４のＬＢＴフレーム５２０のサブフレーム５における事業者２のＣＥＴ中に、および第５のＬＢＴフレーム５２５のサブフレーム５における事業者３のＣＥＴ中に送信を中断するので、事業者２および事業者３の基地局がそれらのためにサービング基地局として機能する複数のモバイルデバイスは、事業者１の（１つまたは複数の）基地局からの低減された干渉により、それらのそれぞれのサービング基地局のＣＥＴをより良く検出することが可能であり得る。ＣＥＴは、場合によっては、無線リソース管理（ＲＲＭ）測定のために使用され得、したがって、検出可能である必要がある。
【００６５】
[0078]第１の事業者の第１の基地局は、第２の事業者の第２の基地局のＣＥＴタイミング情報を監視するために、無認可無線周波数スペクトル帯域上での送信を周期的に中断する必要があり得る。第２の事業者の第２の基地局のＣＥＴの送信タイミングを識別した後、第１の事業者の第１の基地局は、（たとえば、第２の基地局のＣＥＴを保護するために）第２の事業者の第２の基地局のＣＥＴの送信タイミング中に、送信を中断し得る。
【００６６】
[0079]保護されたＣＥＴは、ダウンリンクＣＥＴを含み得、場合によっては、アップリンクＣＥＴを含み得る。基地局のアップリンクＣＥＴのためのＣＥＴタイミング情報は、基地局のダウンリンクＣＥＴにおいて広告され得る。
【００６７】
[0080]図６に、本開示の様々な態様による、ワイヤレス通信において使用するための装置６０５のブロック図６００を示す。いくつかの例では、装置６０５は、図１および／または図２に関して説明した基地局１０５および／または２０５のうちの１つまたは複数の態様の一例であり得る。装置６０５はまた、図１および／または図２に関して説明したモバイルデバイス１１５および／または２１５のうちの１つまたは複数の態様の一例であり得る。装置６０５はまた、プロセッサであり得る。装置６０５は、受信機モジュール６１０、ワイヤレス通信管理モジュール６２０、および／または送信機モジュール６３０を含み得る。これらの構成要素の各々は互いと通信していることがある。
【００６８】
[0081]装置６０５の構成要素は、個々にまたはまとめて、ハードウェアで適用可能な機能の一部または全部を実行するように適応された１つまたは複数の特定用途向け集積回路（ＡＳＩＣ）を使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００６９】
[0082]いくつかの例では、受信機モジュール６１０は、認可無線周波数スペクトル帯域（たとえば、無線周波数スペクトル帯域が特定の使用のために特定のユーザに認可されているので、複数の装置がその帯域に対するアクセスを求めて競合しない無線周波数スペクトル帯域）、および／または無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）上での送信を受信するように動作可能な少なくとも１つの無線周波数（ＲＦ）受信機など、少なくとも１つのＲＦ受信機を含み得る。いくつかの例では、認可無線周波数スペクトル帯域と無認可無線周波数スペクトル帯域の両方が、たとえば、図１および／または図２に関して説明したように、ＬＴＥ／ＬＴＥ−Ａ通信のために使用され得る。受信機モジュール６１０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域上で確立され得る。
【００７０】
[0083]いくつかの例では、送信機モジュール６３０は、認可無線周波数スペクトル帯域および／または無認可無線周波数スペクトル帯域上で送信するように動作可能な少なくとも１つのＲＦ送信機など、少なくとも１つのＲＦ送信機を含み得る。送信機モジュール６３０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域上で確立され得る。
【００７１】
[0084]装置６０５が第１の事業者の第１の基地局として（またはそれを提供するように）構成される装置６０５の例では、ワイヤレス通信管理モジュール６２０は、第２の事業者の第２の基地局に関連するアップリンク構成情報とダウンリンク構成情報とを監視するために装置６０５によって使用され得る。第２の事業者の第２の基地局は、第１の事業者の第１の基地局のネイバリング基地局であり得る。ワイヤレス通信管理モジュール６２０は、さらに、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別し、１つまたは複数のアップリンク送信（たとえば、アップリンクサブフレーム）の識別された送信タイミング中に、第１の事業者の第１の基地局による無認可無線周波数スペクトル帯域へのアクセスを禁止し得る。無認可無線周波数スペクトル帯域における（たとえば、ＬＢＴフレーム、ＣＵＢＳ、ダウンリンクサブフレーム、アップリンクサブフレーム、および／またはＣＥＴを含む）第２の事業者の第２の基地局の送信は、無認可無線周波数スペクトル帯域における第１の事業者の第１の基地局の送信と非同期であり得る。
【００７２】
[0085]装置６０５がモバイルデバイスとして（またはそれを提供するように）構成される装置６０５の例では、ワイヤレス通信管理モジュール６２０は、モバイルデバイスにとって利用可能な（またはそれによって生成された）報告または他の情報をモバイルデバイスのサービング基地局に与えるために使用され得る。サービング基地局は、場合によっては、第１の事業者の第１の基地局であり得る。モバイルデバイスからの報告は様々な形態をとり得る。一例では、モバイルデバイスからの報告は、第１の事業者の第１の基地局と第２の事業者の第２の基地局との間のタイミング差（たとえば、第１の事業者の第１のＰＬＭＮと第２の事業者の第２のＰＬＭＮとの間のタイミング差）を含み得、ここにおいて、モバイルデバイスは、第１の事業者の第１の基地局によってサービスされる。タイミング差は、場合によっては、システムフレーム番号（ＳＦＮ）、サブフレーム番号差、およびサブフレーム内のタイミング差として報告され得る。別の例では、モバイルデバイスからの報告は、基準ＣＥＴタイミングと第２の事業者の第２の基地局のＣＥＴの送信タイミングとの間のタイミング差を含み得る。上記および他の例では、モバイルデバイスからの報告は、第２の事業者のＰＬＭＮ識別子を含み得、モバイルデバイスは、第１の事業者のＰＬＭＮのメンバーである。第２の事業者のＰＬＭＮ識別子は、第２の事業者の第２の基地局のＣＥＴの送信タイミングを識別する際に使用するために、報告が、第１の事業者の第１の基地局によってインデックス付けされることを可能にし得る。第２の事業者の第２の基地局のＣＥＴの送信タイミングを識別すると、第１の基地局は、第２の事業者の第２の基地局のＣＥＴの送信タイミング中に、送信を中断し得る。
【００７３】
[0086]図７に、本開示の様々な態様による、ワイヤレス通信において使用するための装置７０５のブロック図７００を示す。いくつかの例では、装置７０５は、図１および／または図２に関して説明した基地局１０５および／または２０５のうちの１つまたは複数の態様の一例、ならびに／あるいは図６に関して説明した装置６０５の態様の一例であり得る。装置７０５はまた、プロセッサであり得る。装置７０５は、受信機モジュール７１０、ワイヤレス通信管理モジュール７２０、および／または送信機モジュール７３０を含み得る。これらの構成要素の各々は互いと通信していることがある。
【００７４】
[0087]装置７０５の構成要素は、個々にまたはまとめて、ハードウェアで適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００７５】
[0088]いくつかの例では、受信機モジュール７１０は、認可無線周波数スペクトル帯域（たとえば、無線周波数スペクトル帯域が特定の使用のために特定のユーザに認可されているので、複数の装置がその帯域に対するアクセスを求めて競合しない無線周波数スペクトル帯域）、および／または無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）上での送信を受信するように動作可能な少なくとも１つのＲＦ受信機など、少なくとも１つのＲＦ受信機を含み得る。いくつかの例では、認可無線周波数スペクトル帯域と無認可無線周波数スペクトル帯域の両方が、たとえば、図２に関して説明したように、ＬＴＥ／ＬＴＥ−Ａ通信のために使用され得る。受信機モジュール７１０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域上で確立され得る。
【００７６】
[0089]いくつかの例では、送信機モジュール７３０は、認可無線周波数スペクトル帯域および／または無認可無線周波数スペクトル帯域上で送信するように動作可能な少なくとも１つのＲＦ送信機など、少なくとも１つのＲＦ送信機を含み得る。送信機モジュール７３０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域上で確立され得る。
【００７７】
[0090]いくつかの例では、ワイヤレス通信管理モジュール７２０は、図６に関して説明したワイヤレス通信管理モジュール６２０の１つまたは複数の態様の一例であり得る。ワイヤレス通信管理モジュール７２０は、構成情報監視モジュール７３５、アップリンク送信タイミング識別モジュール７４０、および／または無認可ＲＦスペクトルアクセス制御モジュール７４５を含み得る。これらの構成要素の各々は互いと通信していることがある。
【００７８】
[0091]いくつかの例では、構成情報監視モジュール７３５は、第２の事業者の第２の基地局に関連するアップリンク構成情報とダウンリンク構成情報とを監視するために、第１の事業者の第１の基地局によって使用され得る。いくつかの例では、装置７０５は、第１の事業者の第１の基地局を提供するか、または第１の事業者の第１の基地局であり得る。第２の事業者の第２の基地局は、第１の事業者の第１の基地局のネイバリング基地局であり得る。無認可無線周波数スペクトル帯域における（たとえば、ＬＢＴフレーム、ＣＵＢＳ、ダウンリンクサブフレーム、アップリンクサブフレーム、および／またはＣＥＴを含む）第２の事業者の第２の基地局の送信は、無認可無線周波数スペクトル帯域における第１の事業者の第１の基地局の送信と非同期であり得る。
【００７９】
[0092]いくつかの例では、第２の事業者の第２の基地局は、第２の事業者の第２の基地局のＴＤＤ構成を広告し得る。ＴＤＤ構成は、たとえば、ＬＢＴフレームの始まりにおいて、および／またはＮ個のフレームのバーストの始まりにおいて広告され得る。ＴＤＤ構成は、フレームごとにまたはバーストごとに変化し得る。いくつかの例では、構成情報監視モジュール７３５は、アップリンク構成情報とダウンリンク構成情報とについてＬＢＴフレームの１つまたは複数のスロット（たとえば、ＣＵＢＳおよび／またはＣＥＴが、第２の事業者の第２の基地局によって送信され得る１つまたは複数のスロット）を監視し得る。
【００８０】
[0093]いくつかの例では、アップリンク構成情報およびダウンリンク構成情報は、動的であり得、１つまたは複数のフレーム（たとえば、１つまたは複数のＬＢＴフレーム）において実際のアップリンクおよび／またはダウンリンク構成を示し得る。動的アップリンク構成情報およびダウンリンク構成情報は、たとえば、監視されたアップリンク許可から、あるいはワイヤレス通信のために使用されるフレーム（たとえば、ＬＢＴフレーム）のダウンリンク制御領域および／またはＣＵＢＳなどの信号から、取得され得る。
【００８１】
[0094]いくつかの例では、アップリンク構成情報およびダウンリンク構成情報は、半静的であり得、たとえば、１つまたは複数のフレーム（たとえば、１つまたは複数のＬＢＴフレーム）において基準アップリンクおよび／またはダウンリンク構成を示し得る。半静的アップリンク構成情報およびダウンリンク構成情報は、たとえば、第２の事業者の第２の基地局の監視されたＣＥＴから取得され得る。半静的アップリンク構成情報およびダウンリンク構成情報はモバイルデバイス測定を容易にし得る。
【００８２】
[0095]いくつかの例では、アップリンク送信タイミング識別モジュール７４０は、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別するために使用され得る。
【００８３】
[0096]いくつかの例では、無認可ＲＦスペクトルアクセス制御モジュール７４５は、１つまたは複数のアップリンク送信（たとえば、アップリンクサブフレーム）の識別された送信タイミング中に、第１の事業者の第１の基地局による無認可無線周波数スペクトル帯域へのアクセスを禁止するために使用され得る。いくつかの例では、これは、第１の基地局に、無認可無線周波数スペクトル帯域の少なくとも１つのチャネルのＬＢＴフレームへのアクセスを獲得するために１つまたは複数のダウンリンクＣＣＡをバイパスさせることを含み得、そのＣＣＡは１つまたは複数のアップリンクサブフレームの送信タイミング中に実行されたであろう。無認可無線周波数スペクトル帯域の少なくとも１つのチャネルは、第２の事業者の第２の基地局へのアップリンク送信のために使用される１つまたは複数のアップリンクサブフレームがその上で送信される、少なくとも１つのチャネルを含み得る。このようにして、第１の事業者の第１の基地局は、第２の事業者の第２の基地局へのアップリンク送信のために使用される１つまたは複数のアップリンクサブフレームの送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。
【００８４】
[0097]図８に、本開示の様々な態様による、ワイヤレス通信において使用するための装置８０５のブロック図８００を示す。いくつかの例では、装置８０５は、図１および／または図２に関して説明した基地局１０５および／または２０５のうちの１つまたは複数の態様の一例、ならびに／あるいは図６および／または図７に関して説明した装置６０５および／または７０５のうちの１つまたは複数の一例であり得る。装置８０５はまた、プロセッサであり得る。装置８０５は、受信機モジュール８１０、ワイヤレス通信管理モジュール８２０、および／または送信機モジュール８３０を含み得る。これらの構成要素の各々は互いと通信していることがある。
【００８５】
[0098]装置８０５の構成要素は、個々にまたはまとめて、ハードウェアで適用可能な機能の一部または全部を実行するように適応された１つまたは複数のＡＳＩＣを使用して実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００８６】
[0099]いくつかの例では、受信機モジュール８１０は、認可無線周波数スペクトル帯域（たとえば、無線周波数スペクトル帯域が特定の使用のために特定のユーザに認可されているので、複数の装置がその帯域に対するアクセスを求めて競合しない無線周波数スペクトル帯域）、および／または無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）上での送信を受信するように動作可能な少なくとも１つのＲＦ受信機など、少なくとも１つのＲＦ受信機を含み得る。いくつかの例では、認可無線周波数スペクトル帯域と無認可無線周波数スペクトル帯域の両方が、たとえば、図２に関して説明したように、ＬＴＥ／ＬＴＥ−Ａ通信のために使用され得る。受信機モジュール８１０は、場合によっては、認可無線周波数スペクトル帯域および無認可無線周波数スペクトル帯域のための別個の受信機を含み得る。別個の受信機は、いくつかの例では、認可無線周波数スペクトル帯域上で通信するための認可ＲＦスペクトル帯域受信機モジュール８１２、および無認可無線周波数スペクトル帯域上で通信するための無認可ＲＦスペクトル帯域受信機モジュール８１４の形態をとり得る。認可ＲＦスペクトル帯域受信機モジュール８１２および／または無認可ＲＦスペクトル帯域受信機モジュール８１４を含む、受信機モジュール８１０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域上で確立され得る。
【００８７】
[0100]いくつかの例では、送信機モジュール８３０は、認可無線周波数スペクトル帯域および／または無認可無線周波数スペクトル帯域上で送信するように動作可能な少なくとも１つのＲＦ送信機など、少なくとも１つのＲＦ送信機を含み得る。送信機モジュール８３０は、場合によっては、認可無線周波数スペクトル帯域および無認可無線周波数スペクトル帯域のための別個の送信機を含み得る。別個の送信機は、いくつかの例では、認可無線周波数スペクトル帯域上で通信するための認可ＲＦスペクトル帯域送信機モジュール８３２、および無認可無線周波数スペクトル帯域上で通信するための無認可ＲＦスペクトル帯域送信機モジュール８３４の形態をとり得る。認可ＲＦスペクトル帯域送信機モジュール８３２および／または無認可ＲＦスペクトル帯域送信機モジュール８３４を含む、送信機モジュール８３０は、図１および／または図２に関して説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域上で確立され得る。
【００８８】
[0101]いくつかの例では、ワイヤレス通信管理モジュール８２０は、図６および／または図７に関して説明したワイヤレス通信管理モジュール６２０および／または７２０の１つまたは複数の態様の一例であり得る。ワイヤレス通信管理モジュール８２０は、ダウンリンクＣＣＡ管理モジュール８３５、ＣＥＴ送信タイミング識別モジュール８４０、構成情報監視モジュール８４５、アップリンク送信タイミング識別モジュール８６５、および／または無認可ＲＦスペクトルアクセス制御モジュール８７０を含み得る。これらの構成要素の各々は互いと通信していることがある。
【００８９】
[0102]ダウンリンクＣＣＡ管理モジュール８３５は、無認可無線周波数スペクトル帯域の少なくとも１つのチャネルのＬＢＴフレームへのアクセスを獲得するためにダウンリンクＣＣＡを実行するために、第１の事業者の第１の基地局によって使用され得る。いくつかの例では、装置８０５は、第１の事業者の第１の基地局を提供するか、または第１の事業者の第１の基地局であり得る。例として、ＬＢＴフレームは、２ミリ秒、５ミリ秒、または１０ミリ秒の持続時間を有し得る。ダウンリンクＣＣＡは、いくつかのＯＦＤＭシンボル中に実行され得、いくつかのＯＦＤＭシンボルは、ＬＢＴフレームの第１のサブフレームの始まりにおいて、あるいは先行するＬＢＴフレームの終わりにおいてまたはその近くで起こり得る。
【００９０】
[0103]ＣＥＴ送信タイミング識別モジュール８４０は、第２の事業者の第２の基地局のＣＥＴの送信タイミング、および／または第２の事業者の第２の基地局と通信するいくつかのモバイルデバイスのアップリンクＣＥＴの送信タイミングを識別するために使用され得る。第２の事業者の第２の基地局は、第１の事業者の第１の基地局のネイバリング基地局であり得る。無認可無線周波数スペクトル帯域における第２の事業者の第２の基地局の送信、および／または無認可無線周波数スペクトル帯域における第２の事業者の第２の基地局と通信するいくつかのモバイルデバイスの送信は、無認可無線周波数スペクトル帯域における第１の事業者の第１の基地局の送信と非同期であり得る。非同期送信は、たとえば、ＬＢＴフレーム、ＣＵＢＳ、ダウンリンクサブフレーム、アップリンクサブフレーム、および／またはＣＥＴを含み得る。
【００９１】
[0104]いくつかの例では、ＣＥＴ送信タイミング識別モジュール８４０は、第２の事業者の第２の基地局から（たとえば、第２の事業者の第２の基地局のＣＥＴから）直接、第２の事業者の第２の基地局のＣＥＴの送信タイミングを検出し得る。ＣＥＴ送信タイミング識別モジュール８４０は、（たとえば、第２の事業者の第２の基地局のＣＥＴ中に含まれている情報を復号することによって）第２の事業者の第２の基地局のＣＥＴから、第２の事業者の第２の基地局と通信するいくつかのモバイルデバイスのアップリンクＣＥＴの送信タイミングを識別し得る。
【００９２】
[0105]無認可ＲＦスペクトルアクセス制御モジュール８７０は、第２の事業者の第２の基地局のＣＥＴの送信タイミング、および／または第２の事業者の第２の基地局と通信するいくつかのモバイルデバイスのアップリンクＣＥＴの送信タイミング中に、第１の事業者の第１の基地局の送信を中断する（たとえば、第１の事業者の第１の基地局の１つまたは複数のセルの送信を中断する）ために使用され得る。第１の事業者の第１の基地局の１つまたは複数のセルは無認可無線周波数スペクトル帯域を使用し得る。いくつかの例では、第２の事業者の第２の基地局のＣＥＴの送信タイミング、および／または第２の事業者の第２の基地局と通信するいくつかのモバイルデバイスのアップリンクＣＥＴの送信タイミングと重複する、１つまたは複数のＬＢＴフレーム、サブフレーム、または他の送信増分（transmission increments）の間、送信は中断され得る。
【００９３】
[0106]いくつかの例では、無認可ＲＦスペクトルアクセス制御モジュール８７０は、１）１つまたは複数の事業者の１つまたは複数の基地局のＣＥＴの送信タイミング、および／または２）第２の事業者の第２の基地局と通信する１つまたは複数のモバイルデバイスのアップリンクＣＥＴの送信タイミング、中に、第１の事業者の第１の基地局の送信を中断し得る。
【００９４】
[0107]いくつかの例では、構成情報監視モジュール８４５は、ＣＥＴ監視モジュール８５０、信号監視モジュール８５５、および／またはＵＬ許可監視モジュール８６０を含み得る。構成情報監視モジュール８４５は、第２の事業者の第２の基地局に関連するアップリンク構成情報とダウンリンク構成情報とを監視するために、第１の事業者の第１の基地局によって使用され得る。
【００９５】
[0108]ＣＥＴ監視モジュール８５０を含む装置８０５の例では、ＣＥＴ監視モジュール８５０は、第２の事業者の第２の基地局から直接、ＣＥＴを検出するために、第１の事業者の第１の基地局によって使用され得、ここにおいて、ＣＥＴはアップリンク構成情報とダウンリンク構成情報とを含む。第２の事業者の第２の基地局から検出されたＣＥＴは、たとえば、第２の事業者の第２の基地局によって使用されるページングチャネルに関係する情報、ならびに／あるいはアップリンク構成情報およびダウンリンク構成情報がそれらから取得または導出され得る１つまたは複数のＳＩＢを含み得る。
【００９６】
[0109]信号監視モジュール８５５を含む装置８０５の例では、信号監視モジュール８５５は、アップリンク構成情報とダウンリンク構成情報とを含む信号を受信するために、第１の事業者の第１の基地局によって使用され得る。その信号は、第２の事業者の第２の基地局によって実行されるダウンリンクＣＣＡが成功したとき、受信され得る。例として、その信号は、ＣＵＢＳを含み、および／またはワイヤレス通信のために使用されるフレーム（たとえば、ＬＢＴフレーム）のダウンリンク制御領域中に埋め込まれ得る。
【００９７】
[0110]ＵＬ許可監視モジュール８６０を含む装置８０５の例では、ＵＬ許可監視モジュール８６０は、第２の事業者の第２の基地局による１つまたは複数のアップリンク許可に少なくとも部分的に基づいて、アップリンク構成情報とダウンリンク構成情報とを識別するために使用され得る。場合によっては、これは、１つまたは複数のアップリンク許可から識別されたアップリンク構成情報に少なくとも部分的に基づいて、１つまたは複数のアップリンクサブフレームの送信タイミングを動的に識別することを含み得る。
【００９８】
[0111]いくつかの例では、アップリンク送信タイミング識別モジュール８６５は、アップリンク構成情報に少なくとも部分的に基づいて、第２の事業者の第２の基地局へのアップリンク送信のために使用される１つまたは複数のアップリンクサブフレームの送信タイミングを識別するために使用され得る。
【００９９】
[0112]いくつかの例では、無認可ＲＦスペクトルアクセス制御モジュール８７０は、１つまたは複数のアップリンクサブフレームの識別された送信タイミング中に、第１の事業者の第１の基地局による無認可無線周波数スペクトル帯域へのアクセスを禁止するために使用され得る。いくつかの例では、これは、第１の基地局に、無認可無線周波数スペクトル帯域の少なくとも１つのチャネルのＬＢＴフレームへのアクセスを獲得するために１つまたは複数のダウンリンクＣＣＡをバイパスさせることを含み得、そのＣＣＡは１つまたは複数のアップリンクサブフレームの送信タイミング中に実行されたであろう。無認可無線周波数スペクトル帯域の少なくとも１つのチャネルは、第２の事業者の第２の基地局へのアップリンク送信のために使用される１つまたは複数のアップリンクサブフレームがその上で送信される、少なくとも１つのチャネルを含み得る。このようにして、第１の事業者の第１の基地局は、第２の事業者の第２の基地局へのアップリンク送信のために使用される１つまたは複数のアップリンクサブフレームの送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。
【０１００】
[0113]図９に、本開示の様々な態様による、ワイヤレス通信において使用するための基地局９０５（たとえば、ｅＮＢの一部または全部を形成する基地局）のブロック図９００を示す。いくつかの例では、基地局９０５は、図１および／または図２に関して説明した基地局１０５および／または２０５のうちの１つまたは複数の態様、ならびに／あるいは（たとえば、基地局として構成されたときの）図６、図７、および／または図８に関して説明した装置６０５、７０５、および／または８０５のうちの１つまたは複数の態様の一例であり得る。基地局９０５は、図１、図２、図３、図４、図５、図６、および／または図７に関して説明した基地局および／または装置の特徴および機能のうちの少なくともいくつかを実装するかまたは可能にするように構成され得る。
【０１０１】
[0114]基地局９０５は、基地局プロセッサモジュール９１０、基地局メモリモジュール９２０、（（１つまたは複数の）基地局トランシーバモジュール９５０によって表される）少なくとも１つの基地局トランシーバモジュール、（（１つまたは複数の）基地局アンテナ９５５によって表される）少なくとも１つの基地局アンテナ、および／または基地局ワイヤレス通信管理モジュール９６０を含み得る。基地局９０５はまた、基地局通信モジュール９３０および／またはネットワーク通信モジュール９４０のうちの１つまたは複数を含み得る。これらの構成要素の各々は、１つまたは複数のバス９３５上で、直接または間接的に互いと通信していることがある。
【０１０２】
[0115]基地局メモリモジュール９２０は、ランダムアクセスメモリ（ＲＡＭ）および／または読取り専用メモリ（ＲＯＭ）を含み得る。基地局メモリモジュール９２０は、実行されたとき、ワイヤレス通信に関係する本明細書で説明する様々な機能を基地局プロセッサモジュール９１０に実施させるように構成された命令を含んでいるコンピュータ可読、コンピュータ実行可能コード９２５を記憶し得る。代替的に、コンピュータ実行可能コード９２５は、基地局プロセッサモジュール９１０によって直接的に実行可能ではないが、（たとえば、コンパイルされ、実行されたとき）本明細書で説明するさまざまな機能を基地局９０５に実施させるように構成され得る。
【０１０３】
[0116]基地局プロセッサモジュール９１０は、インテリジェントハードウェアデバイス、たとえば、中央処理ユニット（ＣＰＵ）、マイクロコントローラ、ＡＳＩＣなどを含み得る。基地局プロセッサモジュール９１０は、（１つまたは複数の）基地局トランシーバモジュール９５０、基地局通信モジュール９３０、および／またはネットワーク通信モジュール９４０を通して受信された情報を処理し得る。基地局プロセッサモジュール９１０はまた、（１つまたは複数の）基地局アンテナ９５５を通した送信のために（１つまたは複数の）基地局トランシーバモジュール９５０に送られるべき情報、１つまたは複数の他の基地局、すなわち、基地局Ａ９０５−ａおよび基地局Ｂ９０５−ｂへの送信のために基地局通信モジュール９３０に送られるべき情報、および／または図１に関して説明したコアネットワーク１３０の１つまたは複数の態様の一例であり得る、コアネットワーク９４５への送信のためにネットワーク通信モジュール９４０に送られるべき情報を処理し得る。基地局プロセッサモジュール９１０は、単独でまたは基地局ワイヤレス通信管理モジュール９６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、複数の装置がその帯域に対するアクセスを求めて競合しない無線周波数スペクトル帯域）、および／または第２の無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）上で通信すること（またはその帯域上での通信を管理すること）の様々な態様を扱い得る。
【０１０４】
[0117]（１つまたは複数の）基地局トランシーバモジュール９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバモジュール９５０は、いくつかの例では、１つまたは複数の基地局送信機モジュールおよび１つまたは複数の別個の基地局受信機モジュールとして実装され得る。（１つまたは複数の）基地局トランシーバモジュール９５０は、第１の無線周波数スペクトル帯域および／または第２の無線周波数スペクトル帯域における通信をサポートし得る。（１つまたは複数の）基地局トランシーバモジュール９５０は、図１および／または図２に関して説明したモバイルデバイス１１５および／または２１５のうちの１つまたは複数、ならびに／あるいは、たとえば、モバイルデバイスとして構成された図６に関して説明した装置６０５など、１つまたは複数の移動局または装置と、（１つまたは複数の）基地局アンテナ９５５を介して、双方向に通信するように構成され得る。基地局９０５は、たとえば、複数の基地局アンテナ９５５（たとえば、アンテナアレイ）を含み得る。基地局９０５は、ネットワーク通信モジュール９４０を通してコアネットワーク９４５と通信し得る。基地局９０５はまた、基地局通信モジュール９３０を使用して、基地局、すなわち、基地局９０５−ａおよび９０５−ｂなど、他の基地局と通信し得る。
【０１０５】
[0118]基地局ワイヤレス通信管理モジュール９６０は、第１の無線周波数スペクトル帯域および／または第２の無線周波数スペクトル帯域上でのワイヤレス通信に関係する図１、図２、図３、図４、図５、図６、および／または図７に関して説明した特徴および／または機能の一部または全部を実行および／または制御するように構成され得る。たとえば、基地局ワイヤレス通信管理モジュール９６０は、第１の無線周波数スペクトル帯域および／または第２の無線周波数スペクトル帯域を使用して、補足ダウンリンクモード、キャリアアグリゲーションモード、および／またはスタンドアロンモードをサポートするように構成され得る。基地局ワイヤレス通信管理モジュール９６０は、第１の無線周波数スペクトル帯域におけるＬＴＥ／ＬＴＥ−Ａ通信を扱うように構成された基地局ＬＴＥ／ＬＴＥ−Ａ認可スペクトルモジュール９６５と、第２の無線周波数スペクトル帯域におけるＬＴＥ／ＬＴＥ−Ａ通信を扱うように構成された基地局ＬＴＥ／ＬＴＥ−Ａ無認可スペクトルモジュール９７０とを含み得る。基地局ワイヤレス通信管理モジュール９６０、またはそれの部分はプロセッサを含み得、ならびに／あるいは基地局ワイヤレス通信管理モジュール９６０の機能の一部または全部は、基地局プロセッサモジュール９１０によって、および／または基地局プロセッサモジュール９１０とともに実行され得る。いくつかの例では、基地局ワイヤレス通信管理モジュール９６０は、図６、図７、および／または図８に関して説明したワイヤレス通信管理モジュール６２０、７２０、および／または８２０の一例であり得る。
【０１０６】
[0119]図１０に、本開示の様々な態様による、ワイヤレス通信において使用するためのモバイルデバイス１０１５（たとえば、ＵＥ）のブロック図１０００を示す。モバイルデバイス１０１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどに含まれるかまたはそれらの一部であり得る。モバイルデバイス１０１５は、いくつかの例では、モバイル動作を容易にするために、小型バッテリーなどの内部電源（図示せず）を有し得る。いくつかの例では、モバイルデバイス１０１５は、図１および／または図２に関して説明したモバイルデバイス１１５および／または２１５のうちの１つまたは複数の態様、ならびに／あるいは図６に関して説明した装置６０５の態様の一例であり得る。モバイルデバイス１０１５は、図１、図２、図３、図４、および／または図５に関して説明したモバイルデバイスおよび／または装置の特徴および機能のうちの少なくともいくつかを実装するように構成され得る。
【０１０７】
[0120]モバイルデバイス１０１５は、モバイルデバイスプロセッサモジュール１０１０、モバイルデバイスメモリモジュール１０２０、（（１つまたは複数の）モバイルデバイストランシーバモジュール１０３０によって表される）少なくとも１つのモバイルデバイストランシーバモジュール、（（１つまたは複数の）モバイルデバイスアンテナ１０４０によって表される）少なくとも１つのモバイルデバイスアンテナ、および／またはモバイルデバイスワイヤレス通信管理モジュール１０６０を含み得る。これらの構成要素の各々は、１つまたは複数のバス１０３５上で、直接または間接的に互いと通信していることがある。
【０１０８】
[0121]モバイルデバイスメモリモジュール１０２０はＲＡＭおよび／またはＲＯＭを含み得る。モバイルデバイスメモリモジュール１０２０は、実行されたとき、ハンドオーバ、セル再選択、または初期アクセスプロシージャに関係する本明細書で説明する様々な機能をモバイルデバイスプロセッサモジュール１０１０に実施させるように構成された命令を含んでいるコンピュータ可読、コンピュータ実行可能コード１０２５を記憶し得る。代替的に、コンピュータ実行可能コード１０２５は、モバイルデバイスプロセッサモジュール１０１０によって直接的に実行可能ではないが、（たとえば、コンパイルされ、実行されたとき）本明細書で説明するさまざまな機能をモバイルデバイス１０１５に実施させるように構成され得る。
【０１０９】
[0122]モバイルデバイスプロセッサモジュール１０１０は、インテリジェントハードウェアデバイス、たとえば、ＣＰＵ、マイクロコントローラ、ＡＳＩＣなどを含み得る。モバイルデバイスプロセッサモジュール１０１０は、（１つまたは複数の）モバイルデバイストランシーバモジュール１０３０を通して受信された情報、および／または（１つまたは複数の）モバイルデバイスアンテナ１０４０を通した送信のために（１つまたは複数の）モバイルデバイストランシーバモジュール１０３０に送られるべき情報を処理し得る。モバイルデバイスプロセッサモジュール１０１０は、単独でまたはモバイルデバイスワイヤレス通信管理モジュール１０６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、複数の装置がその帯域に対するアクセスを求めて競合しない無線周波数スペクトル帯域）、および／または第２の無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）上で通信すること（またはその帯域上での通信を管理すること）の様々な態様を扱い得る。
【０１１０】
[0123]（１つまたは複数の）モバイルデバイストランシーバモジュール１０３０は、パケットを変調し、変調されたパケットを送信のために（１つまたは複数の）モバイルデバイスアンテナ１０４０に与え、（１つまたは複数の）モバイルデバイスアンテナ１０４０から受信されたパケットを復調するように構成されたモデムを含み得る。（１つまたは複数の）モバイルデバイストランシーバモジュール１０３０は、いくつかの例では、１つまたは複数のモバイルデバイス送信機モジュールおよび１つまたは複数の別個のモバイルデバイス受信機モジュールとして実装され得る。（１つまたは複数の）モバイルデバイストランシーバモジュール１０３０は、第１の無線周波数スペクトル帯域および／または第２の無線周波数スペクトル帯域における通信をサポートし得る。（１つまたは複数の）モバイルデバイストランシーバモジュール１０３０は、（たとえば、基地局として構成されたときの）図１および／または図２に関して説明した基地局１０５および／または２０５、ならびに／あるいは図６に関して説明した装置６０５のうちの１つまたは複数と、（１つまたは複数の）モバイルデバイスアンテナ１０４０を介して、双方向に通信するように構成され得る。モバイルデバイス１０１５は単一のモバイルデバイスアンテナを含み得るが、モバイルデバイス１０１５が複数のモバイルデバイスアンテナ１０４０を含み得る例があり得る。
【０１１１】
[0124]状態モジュール１０５０は、たとえば、ＲＲＣアイドル状態とＲＲＣ接続状態との間のモバイルデバイス１０１５の遷移を管理するために使用され得、１つまたは複数のバス１０３５上で、直接または間接的に、モバイルデバイス１０１５の他の構成要素と通信していることがある。状態モジュール１０５０、またはそれの部分はプロセッサを含み得、ならびに／あるいは状態モジュール１０５０の機能の一部または全部は、モバイルデバイスプロセッサモジュール１０１０によって、および／またはモバイルデバイスプロセッサモジュール１０１０とともに実行され得る。
【０１１２】
[0125]モバイルデバイスワイヤレス通信管理モジュール１０６０は、第１の無線周波数スペクトル帯域および／または第２の無線周波数スペクトル帯域上でのワイヤレス通信に関係する図１、図２、図３、図４、および／または図５に関して説明した特徴および／または機能の一部または全部を実行および／または制御するように構成され得る。たとえば、モバイルデバイスワイヤレス通信管理モジュール１０６０は、第１の無線周波数スペクトル帯域および／または第２の無線周波数スペクトル帯域を使用して、補足ダウンリンクモード、キャリアアグリゲーションモード、および／またはスタンドアロンモードをサポートするように構成され得る。モバイルデバイスワイヤレス通信管理モジュール１０６０は、第１の無線周波数スペクトル帯域におけるＬＴＥ／ＬＴＥ−Ａ通信を扱うように構成されたモバイルデバイスＬＴＥ／ＬＴＥ−Ａ認可スペクトルモジュール１０６５と、第２の無線周波数スペクトルにおけるＬＴＥ／ＬＴＥ−Ａ通信を扱うように構成されたモバイルデバイスＬＴＥ／ＬＴＥ−Ａ無認可スペクトルモジュール１０７０とを含み得る。モバイルデバイスワイヤレス通信管理モジュール１０６０、またはそれの部分はプロセッサを含み得、ならびに／あるいはモバイルデバイスワイヤレス通信管理モジュール１０６０の機能の一部または全部は、モバイルデバイスプロセッサモジュール１０１０によって、および／またはモバイルデバイスプロセッサモジュール１０１０とともに実行され得る。いくつかの例では、モバイルデバイスワイヤレス通信管理モジュール１０６０は、図６に関して説明したワイヤレス通信管理モジュール６２０の一例であり得る。
【０１１３】
[0126]図１１は、本開示の様々な態様による、ワイヤレス通信のための方法１１００の一例を示すフローチャートである。明快のために、方法１１００について、図１、図２、および／または図９に関して説明した基地局１０５、２０５、および／または９０５のうちの１つまたは複数の態様、ならびに／あるいは図６、図７、および／または図８に関して説明した装置６０５、７０５、および／または８０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１１４】
[0127]ブロック１１０５において、方法１１００は、第１の事業者の第１の基地局によって、第２の事業者の第２の基地局に関連するアップリンク構成情報とダウンリンク構成情報とを監視することを含み得る。第２の事業者の第２の基地局は、第１の事業者の第１の基地局のネイバリング基地局であり得る。いくつかの例では、第１の基地局は、図１、図２、および／または図９に関して説明した基地局１０５、２０５、および／または９０５であり得、ならびに／あるいは第１の基地局は、図６、図７、および／または図８に関して説明した装置６０５、７０５、および／または８０５を含み（またはそれに含まれ）得る。無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）における（たとえば、ＬＢＴフレーム、ＣＵＢＳ、ダウンリンクサブフレーム、アップリンクサブフレーム、および／またはＣＥＴを含む）第２の事業者の第２の基地局の送信は、無認可無線周波数スペクトル帯域における第１の事業者の第１の基地局の送信と非同期であり得る。
【０１１５】
[0128]いくつかの例では、第２の事業者の第２の基地局は、第２の事業者の第２の基地局のＴＤＤ構成を広告し得る。ＴＤＤ構成は、たとえば、ＬＢＴフレームの始まりにおいて、および／またはＮ個のフレームのバーストの始まりにおいて広告され得る。ＴＤＤ構成は、フレームごとにまたはバーストごとに変化し得る。いくつかの例では、監視することは、アップリンク構成情報とダウンリンク構成情報とについてＬＢＴフレームの１つまたは複数のスロット（たとえば、ＣＵＢＳおよび／またはＣＥＴが、第２の事業者の第２の基地局によって送信され得る１つまたは複数のスロット）を監視することを含み得る。
【０１１６】
[0129]いくつかの例では、アップリンク構成情報およびダウンリンク構成情報は、動的であり得、１つまたは複数のフレーム（たとえば、１つまたは複数のＬＢＴフレーム）において実際のアップリンクおよび／またはダウンリンク構成を示し得る。動的アップリンク構成情報およびダウンリンク構成情報は、たとえば、監視されたアップリンク許可から、あるいはワイヤレス通信のために使用されるフレーム（たとえば、ＬＢＴフレーム）のダウンリンク制御領域および／またはＣＵＢＳなどの信号から、取得され得る。
【０１１７】
[0130]いくつかの例では、アップリンク構成情報およびダウンリンク構成情報は、半静的であり得、たとえば、１つまたは複数のフレーム（たとえば、１つまたは複数のＬＢＴフレーム）において基準アップリンクおよび／またはダウンリンク構成を示し得る。半静的アップリンク構成情報およびダウンリンク構成情報は、たとえば、第２の事業者の第２の基地局の監視されたＣＥＴから取得され得る。半静的アップリンク構成情報およびダウンリンク構成情報はモバイルデバイス測定を容易にし得る。
【０１１８】
[0131]ブロック１１０５における（１つまたは複数の）動作は、図６、図７、および／または図８に関して説明したワイヤレス通信管理モジュール７２０、８２０、および／または８２０、図７および／または図８に関して説明した構成情報監視モジュール７３５および／または８４５、ならびに／あるいは図９に関して説明した基地局ワイヤレス通信管理モジュール９６０を使用して実行され得る。
【０１１９】
[0132]ブロック１１１０において、方法１１００は、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別することを含み得る。ブロック１１１０における（１つまたは複数の）動作は、図６、図７、および／または図８に関して説明したワイヤレス通信管理モジュール６２０、７２０、および／または８２０、図７および／または図８に関して説明したアップリンク送信タイミング識別モジュール７４０および／または８６５、ならびに／あるいは図９に関して説明した基地局ワイヤレス通信管理モジュール９６０を使用して実行され得る。
【０１２０】
[0133]ブロック１１１５において、方法１１００は、１つまたは複数のアップリンク送信（たとえば、アップリンクサブフレーム）の識別された送信タイミング中に、第１の事業者の第１の基地局による無認可無線周波数スペクトル帯域へのアクセスを禁止することを含み得る。いくつかの例では、これは、無認可無線周波数スペクトル帯域の少なくとも１つのチャネルのＬＢＴフレームへのアクセスを獲得するために１つまたは複数のダウンリンクＣＣＡをバイパスすることを含み得、そのＣＣＡは１つまたは複数のアップリンク送信の送信タイミング中に実行されたであろう。無認可無線周波数スペクトル帯域の少なくとも１つのチャネルは、第２の事業者の第２の基地局への１つまたは複数のアップリンク送信がその上で送信される少なくとも１つのチャネルを含み得る。このようにして、第１の事業者の第１の基地局は、第２の事業者の第２の基地局への１つまたは複数のアップリンク送信の送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。ブロック１１１５における（１つまたは複数の）動作は、図６、図７、および／または図８に関して説明したワイヤレス通信管理モジュール６２０、７２０、および／または８２０、図７および／または図８に関して説明した無認可ＲＦスペクトルアクセス制御モジュール７４５および／または８７０、ならびに／あるいは図９に関して説明した基地局ワイヤレス通信管理モジュール９６０を使用して実行され得る。
【０１２１】
[0134]このようにして、方法１１００は、ワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１２２】
[0135]図１２は、本開示の様々な態様による、ワイヤレス通信のための方法１２００の一例を示すフローチャートである。明快のために、方法１２００について、図１、図２、および／または図９に関して説明した基地局１０５、２０５、および／または９０５のうちの１つまたは複数の態様、ならびに／あるいは図６、図７、および／または図８に関して説明した装置６０５、７０５、および／または８０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１２３】
[0136]ブロック１２０５において、方法１２００は、第１の事業者の第１の基地局によって、無認可無線周波数スペクトル帯域の少なくとも１つのチャネルのＬＢＴフレームへのアクセスを獲得するためにダウンリンクＣＣＡを実行することを含み得る。例として、ＬＢＴフレームは、２ミリ秒、５ミリ秒、または１０ミリ秒の持続時間を有し得る。ダウンリンクＣＣＡは、いくつかのＯＦＤＭシンボル中に実行され得、いくつかのＯＦＤＭシンボルは、ＬＢＴフレームの第１のサブフレームの始まりにおいて、あるいは先行するＬＢＴフレームの終わりにおいてまたはその近くで、起こり得る。いくつかの例では、第１の基地局は、図１、図２、および／または図９に関して説明した基地局１０５、２０５、および／または９０５であり得、ならびに／あるいは第１の基地局は、図６、図７、および／または図８に関して説明した装置６０５、７０５、および／または８０５を含み（またはそれに含まれ）得る。ブロック１２０５における（１つまたは複数の）動作は、図６、図７、および／または図８に関して説明したワイヤレス通信管理モジュール６２０、７２０、および／または８２０、図８に関して説明したダウンリンクＣＣＡ管理モジュール８３５、ならびに／あるいは図９に関して説明した基地局ワイヤレス通信管理モジュール９６０を使用して実行され得る。
【０１２４】
[0137]ブロック１２１０において、方法１２００は、第２の事業者の第２の基地局のＣＥＴの送信タイミング、および／または第２の事業者の第２の基地局と通信するいくつかのモバイルデバイスのアップリンクＣＥＴの送信タイミングを識別することを含み得る。第２の事業者の第２の基地局は、第１の事業者の第１の基地局のネイバリング基地局であり得る。無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）における第２の事業者の第２の基地局の送信、および／または無認可無線周波数スペクトル帯域における第２の事業者の第２の基地局と通信するいくつかのモバイルデバイスの送信は、無認可無線周波数スペクトル帯域における第１の事業者の第１の基地局の送信と非同期であり得る。非同期送信は、たとえば、ＬＢＴフレーム、ＣＵＢＳ、ダウンリンクサブフレーム、アップリンクサブフレーム、および／またはＣＥＴを含み得る。
【０１２５】
[0138]いくつかの例では、第２の事業者の第２の基地局のＣＥＴの送信タイミングを識別することは、第２の事業者の第２の基地局から（たとえば、第２の事業者の第２の基地局のＣＥＴから）直接、第２の事業者の第２の基地局のＣＥＴの送信タイミングを検出することを含み得る。第２の事業者の第２の基地局と通信するいくつかのモバイルデバイスのアップリンクＣＥＴの送信タイミングを識別することは、（たとえば、第２の事業者の第２の基地局のＣＥＴ中に含まれている情報を復号することによって）第２の事業者の第２の基地局のＣＥＴから、第２の事業者の第２の基地局のＣＥＴの送信タイミングを識別することを含み得る。
【０１２６】
[0139]ブロック１２１０における（１つまたは複数の）動作は、図６、図７、および／または図８に関して説明したワイヤレス通信管理モジュール６２０、７２０、および／または８２０、図８に関して説明したＣＥＴ送信タイミング識別モジュール８４０、ならびに／あるいは図９に関して説明した基地局ワイヤレス通信管理モジュール９６０を使用して実行され得る。
【０１２７】
[0140]ブロック１２１５において、方法１２００は、第２の事業者の第２の基地局のＣＥＴの送信タイミング、および／または第２の事業者の第２の基地局と通信するいくつかのモバイルデバイスのアップリンクＣＥＴの送信タイミング中に、第１の事業者の第１の基地局の送信を中断すること（たとえば、第１の事業者の第１の基地局の１つまたは複数のセルの送信を中断すること）を含み得る。第１の事業者の第１の基地局の１つまたは複数のセルは無認可無線周波数スペクトル帯域を使用し得る。いくつかの例では、第２の事業者の第２の基地局のＣＥＴの送信タイミング、および／または第２の事業者の第２の基地局と通信するいくつかのモバイルデバイスのアップリンクＣＥＴの送信タイミングと重複する、１つまたは複数のＬＢＴフレーム、サブフレーム、または他の送信増分の間、送信は中断され得る。
【０１２８】
[0141]方法１２００のいくつかの例では、方法１２００は、１）１つまたは複数の事業者の１つまたは複数の基地局のＣＥＴの送信タイミング、および／または２）第２の事業者の第２の基地局と通信する１つまたは複数のモバイルデバイスのアップリンクＣＥＴの送信タイミング、中に、第１の事業者の第１の基地局の送信を中断することを含み得る。
【０１２９】
[0142]ブロック１２１５における（１つまたは複数の）動作は、図６、図７、および／または図８に関して説明したワイヤレス通信管理モジュール６２０、７２０、および／または８２０、図８に関して説明した無認可ＲＦスペクトルアクセス制御モジュール８７０、ならびに／あるいは図９に関して説明した基地局ワイヤレス通信管理モジュール９６０を使用して実行され得る。
【０１３０】
[0143]ブロック１２２０において、方法１２００は、第１の事業者の第１の基地局によって、第２の事業者の第２の基地局に関連するアップリンク構成情報とダウンリンク構成情報とを監視することを含み得る。いくつかの例では、監視することは、第２の事業者の第２の基地局から直接、ＣＥＴを検出することを含み得、ここにおいて、ＣＥＴはアップリンク構成情報とダウンリンク構成情報とを含む。第２の事業者の第２の基地局から検出されたＣＥＴは、たとえば、第２の事業者の第２の基地局によって使用されるページングチャネルに関係する情報、ならびに／あるいはアップリンク構成情報およびダウンリンク構成情報がそれらから取得または導出され得る１つまたは複数のＳＩＢを含み得る。ブロック１２２０における（１つまたは複数の）動作は、図６、図７、および／または図８に関して説明したワイヤレス通信管理モジュール６２０、７２０、および／または８２０、図７および／または図８に関して説明した構成情報監視モジュール７３５および／または８４５、図８に関して説明したＣＥＴ監視モジュール８５０、ならびに／あるいは図９に関して説明した基地局ワイヤレス通信管理モジュール９６０を使用して実行され得る。
【０１３１】
[0144]ブロック１２２５において、方法１２００は、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別することを含み得る。ブロック１２２５における（１つまたは複数の）動作は、図６、図７、および／または図８に関して説明したワイヤレス通信管理モジュール６２０、７２０、および／または８２０、図７および／または図８に関して説明したアップリンク送信タイミング識別モジュール７４０および／または８６５、ならびに／あるいは図９に関して説明した基地局ワイヤレス通信管理モジュール９６０を使用して実行され得る。
【０１３２】
[0145]ブロック１２３０において、方法１２００は、１つまたは複数のアップリンク送信（たとえば、アップリンクサブフレーム）の識別された送信タイミング中に、第１の事業者の第１の基地局による無認可無線周波数スペクトル帯域へのアクセスを禁止することを含み得る。いくつかの例では、これは、無認可無線周波数スペクトル帯域の少なくとも１つのチャネルのＬＢＴフレームへのアクセスを獲得するために１つまたは複数のダウンリンクＣＣＡをバイパスすることを含み得、そのＣＣＡは１つまたは複数のアップリンク送信の送信タイミング中に実行されたであろう。無認可無線周波数スペクトル帯域の少なくとも１つのチャネルは、第２の事業者の第２の基地局へのアップリンク送信のために使用される１つまたは複数のアップリンク送信がその上で送信される、少なくとも１つのチャネルを含み得る。このようにして、第１の事業者の第１の基地局は、第２の事業者の第２の基地局への１つまたは複数のアップリンク送信の送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。ブロック１２３０における（１つまたは複数の）動作は、図６、図７、および／または図８に関して説明したワイヤレス通信管理モジュール６２０、７２０、および／または８２０、図７および／または図８に関して説明した無認可ＲＦスペクトルアクセス制御モジュール７４５および／または８７０、ならびに／あるいは図９に関して説明した基地局ワイヤレス通信管理モジュール９６０を使用して実行され得る。
【０１３３】
[0146]このようにして、方法１２００は、ワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１３４】
[0147]図１３は、本開示の様々な態様による、ワイヤレス通信のための方法１３００の一例を示すフローチャートである。明快のために、方法１３００について、図１、図２、および／または図９に関して説明した基地局１０５、２０５、および／または９０５のうちの１つまたは複数の態様、ならびに／あるいは図６、図７、および／または図８に関して説明した装置６０５、７０５、および／または８０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１３５】
[0148]ブロック１３０５において、方法１３００は、第１の事業者の第１の基地局によって、無認可無線周波数スペクトル帯域の少なくとも１つのチャネルのＬＢＴフレームへのアクセスを獲得するためにダウンリンクＣＣＡを実行することを含み得る。例として、ＬＢＴフレームは、２ミリ秒、５ミリ秒、または１０ミリ秒の持続時間を有し得る。ダウンリンクＣＣＡは、いくつかのＯＦＤＭシンボル中に実行され得、いくつかのＯＦＤＭシンボルは、ＬＢＴフレームの第１のサブフレームの始まりにおいて、あるいは先行するＬＢＴフレームの終わりにおいてまたはその近くで、起こり得る。いくつかの例では、第１の基地局は、図１、図２、および／または図９に関して説明した基地局１０５、２０５、および／または９０５であり得、ならびに／あるいは第１の基地局は、図６、図７、および／または図８に関して説明した装置６０５、７０５、および／または８０５を含み（またはそれに含まれ）得る。ブロック１３０５における（１つまたは複数の）動作は、図６、図７、および／または図８に関して説明したワイヤレス通信管理モジュール６２０、７２０、および／または８２０、図８に関して説明したダウンリンクＣＣＡ管理モジュール８３５、ならびに／あるいは図９に関して説明した基地局ワイヤレス通信管理モジュール９６０を使用して実行され得る。
【０１３６】
[0149]ブロック１３１０において、方法１３００は、第１の事業者の第１の基地局によって、第２の事業者の第２の基地局に関連するアップリンク構成情報とダウンリンク構成情報とを監視することを含み得る。第２の事業者の第２の基地局は、第１の事業者の第１の基地局のネイバリング基地局であり得る。無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）における（たとえば、ＬＢＴフレーム、ＣＵＢＳ、ダウンリンクサブフレーム、アップリンクサブフレーム、および／またはＣＥＴを含む）第２の事業者の第２の基地局の送信は、無認可無線周波数スペクトル帯域における第１の事業者の第１の基地局の送信と非同期であり得る。
【０１３７】
[0150]いくつかの例では、ブロック１３１０における監視することは、第２の事業者の第２の基地局によって実行されるダウンリンクＣＣＡが成功したとき、アップリンク構成情報とダウンリンク構成情報とを含む信号を受信することを含み得る。例として、その信号は、ＣＵＢＳを含み、および／またはワイヤレス通信のために使用されるフレーム（たとえば、ＬＢＴフレーム）のダウンリンク制御領域中に埋め込まれ得る。
【０１３８】
[0151]ブロック１３１０における（１つまたは複数の）動作は、図６、図７、および／または図８に関して説明したワイヤレス通信管理モジュール６２０、７２０、および／または８２０、図７および／または図８に関して説明した構成情報監視モジュール７３５および／または８４５、図８に関して説明した信号監視モジュール８５５、ならびに／あるいは図９に関して説明した基地局ワイヤレス通信管理モジュール９６０を使用して実行され得る。
【０１３９】
[0152]ブロック１３１５において、方法１３００は、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別することを含み得る。ブロック１３１５における（１つまたは複数の）動作は、図６、図７、および／または図８に関して説明したワイヤレス通信管理モジュール６２０、７２０、および／または８２０、図７および／または図８に関して説明したアップリンク送信タイミング識別モジュール７４０および／または８６５、ならびに／あるいは図９に関して説明した基地局ワイヤレス通信管理モジュール９６０を使用して実行され得る。
【０１４０】
[0153]ブロック１３２０において、方法１３００は、１つまたは複数のアップリンク送信（たとえば、アップリンクサブフレーム）の識別された送信タイミング中に、第１の事業者の第１の基地局による無認可無線周波数スペクトル帯域へのアクセスを禁止することを含み得る。いくつかの例では、これは、無認可無線周波数スペクトル帯域の少なくとも１つのチャネルのＬＢＴフレームへのアクセスを獲得するために１つまたは複数のダウンリンクＣＣＡをバイパスすることを含み得、そのＣＣＡは１つまたは複数のアップリンク送信の送信タイミング中に実行されたであろう。無認可無線周波数スペクトル帯域の少なくとも１つのチャネルは、第２の事業者の第２の基地局へのアップリンク送信のために使用される１つまたは複数のアップリンク送信がその上で送信される、少なくとも１つのチャネルを含み得る。このようにして、第１の事業者の第１の基地局は、第２の事業者の第２の基地局への１つまたは複数のアップリンク送信の送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。ブロック１３２０における（１つまたは複数の）動作は、図６、図７、および／または図８に関して説明したワイヤレス通信管理モジュール６２０、７２０、および／または８２０、図７および／または図８に関して説明した無認可ＲＦスペクトルアクセス制御モジュール７４５および／または８７０、ならびに／あるいは図９に関して説明した基地局ワイヤレス通信管理モジュール９６０を使用して実行され得る。
【０１４１】
[0154]このようにして、方法１３００は、ワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１４２】
[0155]図１４は、本開示の様々な態様による、ワイヤレス通信のための方法１４００の一例を示すフローチャートである。明快のために、方法１４００について、図１、図２、および／または図９に関して説明した基地局１０５、２０５、および／または９０５のうちの１つまたは複数の態様、ならびに／あるいは図６、図７、および／または図８に関して説明した装置６０５、７０５、および／または８０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１４３】
[0156]ブロック１４０５において、方法１４００は、第１の事業者の第１の基地局によって、ＬＢＴフレーム中に、無認可無線周波数スペクトル帯域の少なくとも１つのチャネルへのアクセスを獲得するためにダウンリンクＣＣＡを実行することを含み得る。例として、ＬＢＴフレームは、２ミリ秒、５ミリ秒、または１０ミリ秒の持続時間を有し得る。ダウンリンクＣＣＡは、いくつかのＯＦＤＭシンボル中に実行され得、いくつかのＯＦＤＭシンボルは、ＬＢＴフレームの第１のサブフレームの始まりにおいて、あるいは先行するＬＢＴフレームの終わりにおいてまたはその近くで、起こり得る。いくつかの例では、第１の基地局は、図１、図２、および／または図９に関して説明した基地局１０５、２０５、および／または９０５であり得、ならびに／あるいは第１の基地局は、図６、図７、および／または図８に関して説明した装置６０５、７０５、および／または７０５を含み（またはそれに含まれ）得る。ブロック１４０５における（１つまたは複数の）動作は、図６、図７、および／または図８に関して説明したワイヤレス通信管理モジュール６２０、７２０、および／または８２０、図８に関して説明したダウンリンクＣＣＡ管理モジュール８３５、ならびに／あるいは図９に関して説明した基地局ワイヤレス通信管理モジュール９６０を使用して実行され得る。
【０１４４】
[0157]ブロック１４１０において、方法１４００は、第１の事業者の第１の基地局によって、第２の事業者の第２の基地局に関連するアップリンク構成情報とダウンリンク構成情報とを監視することを含み得る。第２の事業者の第２の基地局は、第１の事業者の第１の基地局のネイバリング基地局であり得る。無認可無線周波数スペクトル帯域（たとえば、Ｗｉ−Ｆｉ無線周波数スペクトル帯域および／またはＬＴＥ／ＬＴＥ−Ａ通信のために使用可能な別の無認可無線周波数スペクトル帯域など、無線周波数スペクトル帯域が無認可使用のために利用可能であるので、複数の装置がその帯域に対するアクセスを求めて競合する必要があり得る、無線周波数スペクトル帯域）における（たとえば、ＬＢＴフレーム、ＣＵＢＳ、ダウンリンクサブフレーム、アップリンクサブフレーム、および／またはＣＥＴを含む）第２の事業者の第２の基地局の送信は、無認可無線周波数スペクトル帯域における第１の事業者の第１の基地局の送信と非同期であり得る。
【０１４５】
[0158]いくつかの例では、ブロック１４１０における監視することは、第２の事業者の第２の基地局による１つまたは複数のアップリンク許可に少なくとも部分的に基づいて、アップリンク構成情報とダウンリンク構成情報とを識別することを含み得る。場合によっては、これは、１つまたは複数のアップリンク許可から識別されたアップリンク構成情報に少なくとも部分的に基づいて、１つまたは複数のアップリンク送信の送信タイミングを動的に識別することを含み得る。
【０１４６】
[0159]ブロック１４１０における（１つまたは複数の）動作は、図６、図７、および／または図８に関して説明したワイヤレス通信管理モジュール６２０、７２０、および／または８２０、図７および／または図８に関して説明した構成情報監視モジュール７３５および／または８４５、図８に関して説明したＵＬ許可監視モジュール８６０、ならびに／あるいは図９に関して説明した基地局ワイヤレス通信管理モジュール９６０を使用して実行され得る。
【０１４７】
[0160]ブロック１４１５において、方法１４００は、アップリンク構成情報に少なくとも部分的に基づいて、第２の事業者の第２の基地局への１つまたは複数のアップリンク送信（たとえば、アップリンク送信のために使用されるアップリンクサブフレーム）の送信タイミングを識別することを含み得る。ブロック１４１５における（１つまたは複数の）動作は、図６、図７、および／または図８に関して説明したワイヤレス通信管理モジュール６２０、７２０、および／または８２０、図７および／または図８に関して説明したアップリンク送信タイミング識別モジュール７４０および／または８６５、ならびに／あるいは図９に関して説明した基地局ワイヤレス通信管理モジュール９６０を使用して実行され得る。
【０１４８】
[0161]ブロック１４２０において、方法１４００は、１つまたは複数のアップリンク送信（たとえば、アップリンク送信のために使用されるアップリンクサブフレーム）の識別された送信タイミング中に、第１の事業者の第１の基地局による無認可無線周波数スペクトル帯域へのアクセスを禁止することを含み得る。いくつかの例では、これは、無認可無線周波数スペクトル帯域の少なくとも１つのチャネルのＬＢＴフレームへのアクセスを獲得するために１つまたは複数のダウンリンクＣＣＡをバイパスすることを含み得、そのＣＣＡは１つまたは複数のアップリンク送信の送信タイミング中に実行されたであろう。無認可無線周波数スペクトル帯域の少なくとも１つのチャネルは、第２の事業者の第２の基地局への１つまたは複数のアップリンク送信がその上で送信される少なくとも１つのチャネルを含み得る。このようにして、第１の事業者の第１の基地局は、第２の事業者の第２の基地局への１つまたは複数のアップリンク送信の送信に干渉する可能性が低い。第１の事業者の第１の基地局による無認可無線周波数スペクトル帯域へのアクセスは、無認可無線周波数スペクトル帯域のための（たとえば、無認可無線周波数スペクトル帯域の１つまたは複数のチャネルのための）エネルギー検出しきい値が満たされないにもかかわらず禁止され得る。ブロック１４２０における（１つまたは複数の）動作は、図６、図７、および／または図８に関して説明したワイヤレス通信管理モジュール６２０、７２０、および／または８２０、図７および／または図８に関して説明した無認可ＲＦスペクトルアクセス制御モジュール７４５および／または８７０、ならびに／あるいは図９に関して説明した基地局ワイヤレス通信管理モジュール９６０を使用して実行され得る。
【０１４９】
[0162]このようにして、方法１４００は、ワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１５０】
[0163]いくつかの例では、方法１１００、１２００、１３００、および／または１４００の１つまたは複数の態様は組み合わせられ得る。
【０１５１】
[0164]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１５２】
[0165]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５３】
[0166]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１５４】
[0167]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶されるか、あるいは非一時的コンピュータ可読媒体を介して送信され得る。他の例および実装形態が、本開示および添付の特許請求の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような、選言的列挙を示す。
【０１５５】
[0168]コンピュータ可読媒体は、コンピュータ記憶媒体と、ある場所から別の場所へのコンピュータプログラムの転送を可能にする任意の媒体を含むコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５６】
[0169]本開示の上述の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2017510177.tif 000003
【図２】
2017510177.tif 000004
【図３】
2017510177.tif 000005
【図４】
2017510177.tif 000006
【図５】
2017510177.tif 000007
【図６】
2017510177.tif 000008
【図７】
2017510177.tif 000009
【図８】
2017510177.tif 000010
【図９】
2017510177.tif 000011
【図１０】
2017510177.tif 000012
【図１１】
2017510177.tif 000013
【図１２】
2017510177.tif 000014
【図１３】
2017510177.tif 000015
【図１４】
2017510177.tif 000016
【国際調査報告】
2017510177.tif 000017
2017510177.tif 000018